(57)【要約】  植物材料が、バクテリオファージを付着させており、該バクテリオファージが感染力を保持している。前記植物材料は、果実、野菜、葉、茎、花、根、塊茎、苗、および種子を含む。植物疾患および動物疾患が治療され得る。別の組成物は、（i）フィラメント、（ii）平面材料、ならびに（iii）粒子および／またはビーズから選択されるキャリアからなり、該キャリアに共有結合で付着されたバクテリオファージを含み、該バクテリオファージが感染力を保持し、深創傷での細菌感染の治療または予防に有用である。
2014528694.tif 000002
【特許請求の範囲】
【請求項１】
バクテリオファージが付着された植物材料であって、該バクテリオファージが感染力を保持している、植物材料。
【請求項２】
異なった細菌に感染する複数のバクテリオファージが付着されている、請求項１に記載の植物材料。
【請求項３】
果実、野菜、葉、茎、花、根、塊茎、苗、および種子から選択された、請求項１または２に記載の植物材料。
【請求項４】
消費用種子である、請求項３に記載の植物材料。
【請求項５】
種子ストックである、請求項３に記載の植物材料。
【請求項６】
植物疾患の予防または治療のための、前記請求項のいずれかに記載の植物材料。
【請求項７】
前記植物材料を摂食する動物の疾患の予防または治療のための、請求項１から５のいずれかに記載の植物材料。
【請求項８】
消化管内での細菌感染の予防または治療のための、請求項７に記載の植物材料。
【請求項９】
鳥類の疾患の予防または治療のための、請求項７または８に記載の植物材料。
【請求項１０】
前記バクテリオファージが前記植物材料上に物理的に固定化されている、前記請求項のいずれかに記載の植物材料。
【請求項１１】
前記バクテリオファージが前記植物材料に対し、共有結合、イオン結合、水素結合またはファンデルワールス結合により付着されている、前記請求項のいずれかに記載の植物材料。
【請求項１２】
前記バクテリオファージが共有結合で付着されている、前記請求項のいずれかに記載の植物材料。
【請求項１３】
前記バクテリオファージが粒子に付着され、かつ、該粒子が前記植物材料に付着されている、前記請求項のいずれかに記載の植物材料。
【請求項１４】
植物材料を処理する方法であって、該植物材料にバクテリオファージを付着させる工程を含み、該バクテリオファージが感染力を保持している、方法。
【請求項１５】
前記植物材料を活性化する工程、および次いで該活性化植物材料に前記バクテリオファージを付着させる工程を含む、請求項１４に記載の方法。
【請求項１６】
異なる細菌に感染する複数のバクテリオファージが前記植物材料に付着される、請求項１４または１５に記載の方法。
【請求項１７】
前記植物材料が果実、野菜、葉、茎、花、根、塊茎、苗、および種子から選択される、請求項１４から１６のいずれかに記載の方法。
【請求項１８】
前記植物材料が消費用種子または種子ストックを含む、請求項１４から１７のいずれかに記載の方法。
【請求項１９】
植物疾患の予防または治療のための植物材料の調製のための、請求項１４から１８のいずれかに記載の方法。
【請求項２０】
前記植物材料を摂食する動物の疾患を予防または治療するための植物材料の調製のための、請求項１４から１９のいずれかに記載の方法。
【請求項２１】
前記植物材料に、前記バクテリオファージを、共有結合、イオン結合、水素結合またはファンデルワールス結合により付着させる工程を含む、請求項１４から２０のいずれかに記載の方法。
【請求項２２】
前記バクテリオファージが共有結合により付着されている、請求項２１に記載の方法。
【請求項２３】
前記バクテリオファージを粒子または複数粒子に付着させる工程、および該粒子または該複数粒子を前記植物材料に付着させる工程を含む、請求項１４から２２のいずれかに記載の方法。
【請求項２４】
バクテリオファージが共有結合的に付着された粒子の水性製剤を植物材料と組み合わせる工程、および該組み合わせを乾燥させて該粒子を該植物材料に付着させる工程を含む、請求項２３に記載の方法。
【請求項２５】
請求項１から１３のいずれかに記載の植物材料を含む組成物。
【請求項２６】
植物材料を摂食する動物において疾患を予防または治療する方法であって、請求項２５に記載の組成物を該動物に投与する工程を含む、方法。
【請求項２７】
前記疾患が胃腸疾患である、請求項２６に記載の方法。
【請求項２８】
（i）フィラメント、（ii）平面材料、ならびに（iii）粒子および／またはビーズから選択されるキャリアと該キャリアに共有結合で付着されたバクテリオファージとを含む組成物であって、該バクテリオファージが感染力を保持している、組成物。
【請求項２９】
前記キャリアが、生分解性および／または生体適合性である、請求項２８に記載の組成物。
【請求項３０】
前記キャリアが組織適合性であり、かつインサイチュで吸収され得る、請求項２８または２９に記載の組成物。
【請求項３１】
請求項２８から３０のいずれかに記載の組成物であって、深創傷での細菌感染の治療または予防に使用される、組成物。
【請求項３２】
請求項２８から３１のいずれかに記載のフィラメント。
【請求項３３】
フィラメントがドレッシングに組み込まれた創傷ドレッシングであって、該フィラメントがバクテリオファージを付着しており、そして請求項２８から３２のいずれかに選択的に従う、創傷ドレッシング。
【請求項３４】
前記フィラメントが前記ドレッシングに織り込まれている、請求項３３に記載の創傷ドレッシング。
【請求項３５】
前記フィラメントが前記ドレッシングから解かれている、請求項３３に記載の創傷ドレッシング。
【請求項３６】
体内の部位での感染の治療方法であって、該部位にフィラメントを配置する工程を含み、該フィラメントがバクテリオファージを付着しており、そして、請求項２８から３２のいずれかに選択的に従う、方法。
【請求項３７】
前記部位が深創傷である、請求項３６に記載の方法。
【請求項３８】
バクテリオファージが付着している複数のフィラメントを含む創傷ドレッシングであって、第１のバクテリオファージが付着している第１のフィラメントおよび第２のバクテリオファージが付着している第２のフィラメントが少なくとも存在し、そして該第１および該第２のバクテリオファージが異なった株または種の細菌に感染する、創傷ドレッシング。
【請求項３９】
前記第１および前記第２のフィラメントが異なった色である、請求項３８に記載の創傷ドレッシング。
【発明の詳細な説明】
【技術分野】
【０００１】
本発明は、持続可能な生存状態で、かつ細菌感染、コロニー形成、および／または汚染の防止および抑制に適した多様な形式で、ウイルス剤（例えばバクテリオファージもしくは他のウイルス）を送達する手段に関する。治療もしくは免疫化のときに特異的な遺伝子／タンパク質の送達に適した、遺伝子改変された生存ウイルスを設置しかつ送達する手段としても働き得るシステムが、提供される。本発明は、微生物／細菌の汚染、コロニー形成、もしくは感染が生じているか、または起こり得るような、および、バクテリオファージなどのウイルスの持続した抗菌活性が有益となり得る、ほとんど全ての状況において、微生物／細菌の増殖および／またはコロニー形成に対抗するのに適用され得る。
【背景技術】
【０００２】
多くの生物的な系および過程において、微生物／細菌の汚染または感染が、正常な生物的／生理的機能（治癒または成長のような）および腐敗速度に影響する主要な要因であることは、今では一般的に受け入れられている。創傷の治癒において、創傷の感染を予防することは、創傷のケアおよび回復の生命に関わる側面である。全ての創傷は感染を受けやすいので、創傷のケアは、これを考慮して最善の努力が実践されてきた。典型的には、創傷は、細菌を保有し得る異物を取り除くように洗浄され、そして組織が重篤な外傷を受けている場合、組織の修復は、しばしば縫合により促進される。股関節置換のような主要な外科的な手法においては、これは、いくつかの組織層の修復に続いて、一般的に入手可能な種類の滅菌創傷ドレッシングを伴う。典型的には、清潔を補助し、感染を防ぐために、滅菌創傷ドレッシングを皮膚表面に付与する。
【０００３】
これらの予防措置にもかかわらず、損傷中または不注意にも種々の内科的／外科的手順の間の物質の侵入を介して、感染は確立し得る。さらに、創傷の感染の問題は、深創傷に限られない。感染は比較的小さな病変を慢性の創傷へと変え得、これは、特に、老人、糖尿病患者、または虚弱者にとってますます大きな健康上の問題となる。
【０００４】
創傷の洗浄に加えて、深部の創傷の感染の確立を防ぐために様々なアプローチが採用されてきた。典型的には、深創傷から感染性の細菌を除去するために、（例えば歯の再建において）抗生物質が全身的におよび局所的に使用されたり、または強消毒性化学物質が使用されたりしてきた。不運にも、強抗菌性化学物質を付与しても、感染の確立もしくは再発の防止にたびたび失敗する。大部分において、これは、消毒薬が問題の細菌全てを完全に根絶することができないことに起因し得る。加えて、周知のとおり、多くの細菌は現在、抗生物質に対して耐性を持っており、抗生物質の有効性は徐々に希釈している。
【０００５】
それゆえ、細菌の感染および汚染に対抗する、より有効な手段が必要となっている。１つのアプローチは、バクテリオファージ（細菌を攻撃し破壊するウイルス）を利用することを伴うものであり、種々のグループが、それらの適用に成功したと報告している。感染に対抗する手段としてのバクテリオファージの適用に伴う中心的な問題は、バクテリオファージが強力な抗菌効果を及ぼすのに十分なほど長時間安定で生存できることを保証しつつ、適切な送達手段を得ることにあった。
【０００６】
液中の投与は多くの場合、現実的でないか実用的でない。必要なのは、殺菌剤としてのバクテリオファージの適用に一般的に適切であり、創傷のケアを含む多くの状況において実用性を持つ、送達手段である。バクテリオファージは、分解および乾燥の影響を受けやすいため、これは、理想的には強化された生存性および安定性を与えるべきである。
【０００７】
多くの従来のドレッシングは、創傷内からの余分な液を吸収するように設計された材料を使用しており、そのような液は、しばしば栄養素に富み、十分な細菌の増殖を後押しし得る。手術の開口または皮膚表面に細菌が完全に存在しないことは滅多にないので、ドレッシング材または包帯材はすぐに細菌数の増加を後押しする。細菌は、重篤な感染を引き起こし得るだけでなく、有害な毒素を出すこともあり、創傷の取り扱いの観点から著しい問題を引き起こす。１つの解決手段は、細菌の集積を妨げるために創傷ドレッシングまたは包帯を定期的に取り換えることであるが、これは常に、望ましいおよび/または実用的であるわけではない。
【０００８】
別のアプローチは、微生物の増殖を制限するように設計された物質でドレッシングを処理することである。しかしながら、多くのそのような物質は、創傷の滲出液と一旦接触するとドレッシングから浸出され得るため、ドレッシングの有効性は限られており、活性物質が周囲の組織に炎症または損傷を与える問題が生じ得る。
【０００９】
それゆえに、抗細菌剤がドレッシングから容易に放出されることがない、または抗細菌剤の放出が治療される被験体に有害とならない、抗菌性ドレッシングの提供が望まれる。
【００１０】
ＷＯ 03/093462は、バクテリオファージのようなウイルスを、ウイルスがなお感染力を保持するように基質に固定化する方法を開示している。
【００１１】
バクテリオファージを、その安定性が増強されかつ抗菌活性が保持されるように、汚染された領域や環境に導入する手段を提供することは、本発明の目的に含まれる。これは、感染した創傷を含み、表面病変から深創傷環境にまで及ぶ。
【００１２】
それとは別に、植物の細菌感染は、発芽、成長、および／または収穫高の減少を起こし得る。そうした感染を治療もしくは予防することが望まれているが、そうすることに対するアプローチは、現在、植物の成長に影響する別の要因に悪影響を及ぼすリスクを有する。
【００１３】
本発明のもう一つの目的は、植物の細菌感染に対処すること、ならびに本発明により処理された植物材料およびその使用を提供することである。
【図面の簡単な説明】
【００１４】
【図１】図１は、創傷ドレッシングの概略図を示す。創傷ドレッシングには、ＬＶＣＣ（バクテリオファージが単独または組み合わせで付着した１またはそれ以上のフィラメントまたはストリップとして）が付加される。
【図２ａ】図２ａは、ＬＶＣＣを取り込んだドレッシングの概略図を示す。
【図２ｂ】図２ｂは、ＬＶＣＣを取り込んだドレッシングの概略図を示す。
【図３】図３は、多数のバクテリオファージを同定可能なパターンで有するドレッシングの概略図を示す。
【図４ａ】図４ａは、通常またはバクテリオファージで処理したＬＶＣＣを使用して、５％の豚胃ムチンに懸濁した７０μｌの１×１０５ｃｆｕ／ｍｌ  Ｅ１５を感染させた深創傷を持つ動物の創傷統計を示す（術後７日目）。
【図４ｂ】図４ｂは、深創傷を持つ動物の細菌量を示す。深創傷には、５％の豚胃ムチンに懸濁された７０μｌの１×１０５ｃｆｕ／ｍｌ  Ｅ１５を感染させ、通常またはバクテリオファージで処理したＬＶＣＣを手術後７日目に使用した。
【図５】図５は、感染創傷への挿入後１４日目のラットから回収した縫合糸に固定化されたバクテリオファージによるMRSAの除去を示す。
【図６ａ】図６ａは、乾燥に対するＬＶＣＣにより付与される安定性を示す。
【図６ｂ】図６ｂは、紫外線照射に対するＬＶＣＣにより付与される安定性を示す。
【図６ｃ】図６ｃは、温度に対するＬＶＣＣにより付与される安定性を示す。
【図７】図７は、土壌における固定化されたバクテリオファージの生残を示す。
【図８】図８は、２つのバクテリオファージを有するＬＶＣＣのおのおのがそれらのバクテリオファージの一方に感染性の２つの細菌種への暴露を示す図である。
【図９】図９は、感染した対照区の創傷部位の１４日目の側面の外側を示す図である。
【図１０】図１０は、感染した対照区の創傷部位の１４日目の背面の内側を示す図である。
【図１１】図１１は、本発明のフィラメントで処置された創傷部位の１４日目の側面の外側を示す図である。
【図１２】図１２は、図１１の部位の背面の内部を示す図である。１４日目の傍脊柱筋内部の腫れ上がりの減少および膿の生成の減少を示している。
【図１３】図１３は、トマト発芽種子（対照区）を示す。
【図１４】図１４は、本発明に従い、種子表面にファージを固定化したトマト発芽種子を示す。
【図１５】図１５は、コロナ放電により処理した（がファージ無しの）トマト発芽種子を示す。
【図１６】図１６は、遊離のファージで処理したトマトの発芽種子を示す。
【図１７】図１７は、本発明に従うセルロース粒子周囲の細菌の除去を示す。
【発明を実施するための形態】
【００１５】
第１の局面では、本発明は、生ウイルス（例えばバクテリオファージ）を所望の場所またはその内部（例えば傷またはその内部）に提供するデバイスを提供し、該デバイスは、生ウイルスキャリア複合体（ＬＶＣＣ）として定義され、キャリア基質に付着した生ウイルスを含む。このようなＬＶＣＣは、ウイルスの生物学的作用が、治療上または他の抗菌面の利益を伝えることが有利な状況において使用され得る。典型的には、このことは、ウイルスがそれらの生物学的特性を保持していることを必要とし、バクテリオファージの場合は、細菌細胞を標的にし、感染し、破壊する能力を保持することが必要である。ウイルスは、創傷の感染の原因となる細菌を標的とするバクテリオファージであり得る。本発明において、それらは、感染または汚染された環境においてそれらの生物学的特性が維持されるように、キャリア基質材料の表面に付着されている。
【００１６】
キャリア表面は、例えば、フィラメント状、平面的な（シート）材料（例えばストリップとして）により、または、粒子および／またはビーズの表面により提供され得、それは、ウイルスの生存性が保持されるようなウイルスの付着および固定化を可能にするのに十分である。
【００１７】
ＬＶＣＣは、付着した生ウイルスの有益な特性が必要に応じて提供および送達されるように、深創傷内にまたは別の関連部位に、単独または組み合わせで提供され得る。キャリア／基質は任意の材料であり得、生存性の持続と、ＬＶＣＣとしての適用に適した抗菌特性の維持とを同時に行いつつ、ウイルスがその上に固定化され得る。
【００１８】
本発明の組成物は、(i)フィラメント、(ii)平面材料、ならびに(iii)粒子および／またはビーズから選択されるキャリアと、キャリアに共有結合的に付着しているバクテリオファージとを含み得、当該バクテリオファージは感染力を保持している。
【００１９】
キャリアは、適切には、生分解性および／または生体適合性である。それとは別に、キャリアは、組織適合性がありインサイチュで吸収され得るものであり得る。
【００２０】
組成物の使用は深創傷での細菌感染の治療または予防にあり、深創傷とは、体の露出面上にない創傷を意味する。深創傷は、内部の創傷であり得、体表面上で縫合糸により閉鎖された内部の創傷を含む。典型的には、本発明の組成物は、深創傷の内部に設置され、この創傷は次いで閉鎖される。このように、本発明のフィラメントは、深創傷の位置に設置されて、その内部に残され得る。以下により詳細に記載する本発明の１つの実施形態では、バクテリオファージが付着しているフィラメントを深創傷に設置することにより、対照に比較して創傷が良く治癒されるという結果をもたらした。
【００２１】
有利なことに、組成物の材料は、生分解性および／または生体適合性材料であるか、または組織適合性でありかつインサイチュで吸収され得るポリマーもしくは他の材料製である。付着したウイルス（バクテリオファージのような）の抗菌作用または他の関連した特性が実質的に影響を受けないように、分解が経時的に起こり得る。
【００２２】
本発明の１つの実施形態では、ＬＶＣＣは、様々な外科用インプラント、例えば、人工装具、ステント、カテーテル、外科的修復のための膜もしくは骨格材、または再生目的のための骨格もしくは骨組み、縫合アンカー、縫合糸および他の創傷閉鎖デバイス（例えば、接着ストリップまたはステープル）、シャント、カテーテル、留置カニューレ、チューブおよび同様なデバイスならびにそれらの部品等に付着される。それらは、表面上に付着されてもよく、または様々な非生分解性ポリマー、生分解性ポリマー、コラーゲン、ケラチン、セルロース、綿、絹および他の同様な物質から単独でもしくは組合せで構成される骨格もしくは支持材に組み込まれてもよい（下記参照）。
【００２３】
本発明は、ウイルスを急速に変性させるような好ましくない環境（例えば、感染または汚染領域）において、ウイルスの生存性および生物学的特性（バクテリオファージについては殺菌特性を含む）が持続され、延長されるように、ウイルスをキャリア基質材料の表面に固定化することによってＬＶＣＣを構築することについて記載している。以下に、ＬＶＣＣにおいてキャリア基質として用いられるのに適している、単独でもしくは組み合わせてもしくは混合物としてもしくは共重合ポリマーとして使用される材料の例を列挙する。
【００２４】
適したポリマー種類としては、バイオポリマー、導電性ポリマー、コポリマー、フッ化ポリマー、ポリテルペン、フェノール樹脂、ポリ酸無水物、ポリエステル、ポリオレフィン（ポリアルケン）、ゴム、シリコーン、シリコーンゴム、超吸収ポリマー、合成ゴム、ビニルポリマー、核酸、ポリペプチド、糖、ポリ乳酸（ＰＬＡ）、ポリ-３-ヒロドキシブチレート、無機ポリマー、ホモアトミックポリマー、ポリシラン、ポリゲルマン、ポリスタンナン、ヘテロアトミックポリマー、ポリボラジレン、ポリシロキサン、ポリジメチルシロキサン（ＰＤＭＳ）、ポリメチルヒドロシロキサン（ＰＭＨＳ）、およびポリジフェニルシロキサン、パーヒドリドポリシラザン（ＰＨＰＳ）のようなポリシラザン、、ポリフォスファゼン、ポリチアジル、ポリスルフィド、超高分子量ポリエチレン（ＵＨＭＷＰＥ）、一般プラスチック、ポリプロピレンポリエステル（ＰＥＳ）、ポリエチレンテレフタレート（ＰＥＴ）、ポリエチレン（ＰＥ）、高密度ポリエチレン、ポリ塩化ビニル（ＰＶＣ）、ポリ塩化ビニリデン（ＰＶＤＣ）（サラン）、低密度ポリエチレン（ＬＤＰＥ）、ポリプロピレン（ＰＰ）、ポリスチレン（ＰＳ）、ハイインパクトポリスチレン（ＨＩＰＳ）、ポリアミド（ＰＡ）（ナイロン）、アクリロニトリル−ブタジエン−スチレン（ＡＢＳ）、ポリカーボネート（ＰＣ）、ポリカーボネート／アクリロニトリル−ブタジエン−スチレン（ＰＣ／ＡＢＳ）、ポリウレタン（ＰＵ）、特別目的プラスチック、モノマーおよびポリマー（生分解性／再吸収性材料を含む）、エチレンメチルアクリレート、メラミンホルムアルデヒド（ＭＦ）、プラスターチ材料、フェノリクス（ＰＦ）または（フェノールホルムアルデヒド）、ポリカプロラクトン（ＰＣＬ）、ポリジオキサノン（ＰＤＯまたはＰＤＳ）、ポリエーテルエーテルケトン（ＰＥＥＫ）、ポリエテリミド（ＰＥＩ）（ウルテム）、ポリグリコール酸（ＰＧＡ）、ポリヒドロキシブチレート（ＰＨＢ）、ポリ乳酸（ＰＬＡ）Ｄ体およびＬ体立体異性体、ポリラクチドポリ−Ｄ-Ｌ-ポリ乳酸共重合体-ポリグリコール酸（ＰＤＬＬＡ−ｃｏ−ＰＧＡ）、ポリＬ−乳酸（ＰＬＬＡ）、ポリメチルメタクリレート（ＰＭＭＡ）、ポリテトラフルオロエチレン（ＰＴＦＥ）、ポリトリメチレンカーボネート（ＴＭＣ）、ポリカーボネート、ポリ酸無水物、ポリ−（イミド無水物）およびポリオルトエステルが挙げられる。
【００２５】
他の材料としては、ウレアホルムアルデヒド（ＵＦ）、リン酸三カルシウム（ＴＣＰ）、天然材料、木、セラミックス、岩、砂および岩；角およびケラチン；骨；皮；紙；絹；綿；麻；ガラス；鉄および非鉄金属および合金が挙げられる。
【００２６】
使用され得る専門材料としては、加工セルロース（繊維または布として（カルボキシメチル化された））、コラーゲン、ヒアルロン酸、ハイドロコロイド、ハイドロゲル、フィルム、泡、アルギン酸塩、エチルメチルアクリレート、専門ガラス（生分解性のおよび非生分解性の）、専門ナイロン、多糖が挙げられる。
【００２７】
本発明の別の実施形態では、ウイルス（例えばバクテリオファージ）は、デバイスを含む材料の表面に直接固定化され得る。要するに、デバイスが形成される材料はＬＶＣＣキャリア材料となる。例えば、外科用縫合糸にバクテリオファージをすぐに固定化することは、二重の目的、すなわち強力な抗細菌能力を送達しつつ創傷を閉鎖し得るＬＶＣＣを提供する。縫合糸は、生分解性ポリマーを含む多様な種類からなるものであり得る。
【００２８】
本発明のさらなる実施形態では、ＬＶＣＣ（バクテリオファージが単独でまたは組み合わせて付着されているフィラメントもしくはストリップとして）が創傷ドレッシングに加えられても、および／または創傷ドレッシングの真下に置かれてもよく、または他のタイプのドレッシングまたはデバイスと共に用いられ得、これは特定の利点を伝え得るが、ＬＶＣＣの同時適用の結果として増幅された抗菌機能を受ける。
【００２９】
本発明のさらなる実施形態は、ＬＶＣＣを創傷ドレッシングの一部として組み込むことを含む。このことは、ドレッシングの一体部となるように整えられた独立した（ＬＶＣＣ）構成要素としてでもよく、またはドレッシングからは区別されるが、抗菌機能を提供するためにドレッシングの内部および／または真下に導入されてもよい。あるいは、キャリア材料がドレッシングの一部であり得る。ＬＶＣＣまたはキャリア材料は下記のような、種々の様式で整えられ得るが、これに制限されると解釈されるべきではない。
【００３０】
本発明の特定の創傷ドレッシングは、バクテリオファージが付着した複数のフィラメントを含み、第１のバクテリオファージが付着している第１のフィラメントおよび第２のバクテリオファージが付着している第２のフィラメントが少なくとも存在し、該第１および該第２のバクテリオファージが異なった株または種の細菌に感染する。
【００３１】
第１のフィラメントと第２のフィラメントとは異なった色とし得る。このことは、ドレッシングの色コードを提供する。ゆえに、使用の際、色は、所与のドレッシングにより治療し得るまたは予防し得る疾患を識別するために使用され、その色は、そのフィラメントまたはドレッシングの一部に付着したファージによりどの細菌特異性が呈示されているかを一貫して示す。特定の例では、一つの色のフィラメントは、スタフィロユッカス・アウレウスに感染するファージを付着し、第２の色のフィラメントはクロストリジウム・ディフィシルに感染するファージを付着している。
【００３２】
典型的には、創傷ドレッシングまたは包帯は、創傷の保護の提供および／または創傷液の吸収のためのドレッシング層と、創傷接触面とを含み、この接触面の少なくとも一部が、固定化されたウイルスを含み得る。
【００３３】
接触面は、ドレッシング層の一部であり得るか、またはさらなる構成要素の一部であり得、第１の材料を囲むかもしくはその上に重なるカバーの一部である。１つの実施形態では、接触面は、液を通過させ、ドレッシング層に進入させるように浸透性であり得る。創傷接触面は、一般的に、治療される傷と接触して置かれ得る材料の部分であるが、接触は直接的でなくてもよい。それゆえ、例えば、さらなる透過性基質が、創傷とウイルスが固定化されている接触面との間に置かれてもよい。このように、創傷液（これは微生物を含み得る）は透過性基質を透過して、接触面に存在する固定化されたウイルスと接触することができる。
【００３４】
確かに、接触面は、ドレッシング中に形成された袋などの中に入れられるように設計された構成要素として、ＬＶＣＣを組み込み得る。このように、種々の固定化されたウイルスを含む種々の挿入物が提供され得、治療される創傷の種類によって、望ましい挿入物が選択されドレッシング中に置かれ得る。確かに、どのタイプの微生物が存在し得るかを解明するために創傷が試験され得、そのような微生物を標的にするのに適切な挿入物が選択され得る。あるいは、一般の広スペクトルの抗菌作用を提供するいくつかのバクテリオファージから構成されたＬＶＣＣが、用いられてもよい。
【００３５】
１つの実施形態では、創傷ドレッシングは３つの構成要素を含み得る：外側カバーは、例えばバンデージまたは粘着剤のいずれかによって、ドレッシングを皮膚に付着させる；ドレッシング中間層は、衝撃および摩耗に対する緩衝材として働き、かつ治癒過程において助けとなる機能を提供し得、その一例は吸収リント布であり得、これは、長年にわたり基本的なドレッシング形式において用いられてきた材料である；内膜は、接触面を形成し、傷と接触する。これは、例えば、シートやメッシュに織られ、かつドレッシングが容易に取り除けるような物質、おそらくコートされた合成高分子を含み得る。
【００３６】
バクテリオファージを取り込んだドレッシングの単純な例では、ファージが、内層の表面（接触面）に付着され得るか、または、その内層が、ドレッシングとは区別されるが創傷との接触がもたらされるＬＶＣＣとして導入され得る。一般的な位置決めは、創傷の細菌感染が確立する／し得る領域にファージを設置する役割を果たし、そして初期感染バクテリオファージ事象が起こり得る可能性を最適化し、その後細菌破壊を増幅するサイクルを開始させる。
【００３７】
１つの実施形態では、ドレッシングまたはＬＶＣＣは、細菌の１つのタイプに対し活性であるように考案されてもよく、よって、細菌の１つのタイプに対し活性であるファージ（またはファージら）の固定化を含み得る。
【００３８】
他の実施形態では、接触面の全領域にわたって固定化されたファージを含み得る。しかしながら、いくつかの例では、これは、固定化または製造のために不必要であるか、最も経済的な方法ではないことが判明し得る。他の形式は利用可能であり得る。例えば、ファージは、接触面の定められた領域にのみ付着され得る。これは、表面の一部のみの活性化および付着工程により達成され得、この付着工程は、ファージを表面すべてにアクセス可能とするが、固定化は活性化領域でのみ起こる。あるいは、一種のプリント技術によって、活性化領域のみにファージを向かわせ得る。これは、付着プロセスおよびその後の適切な表面への「プリント」の前にファージが活性化される配置（上述の逆）を必要とし得る。あるいは、ファージおよび表面は同時に活性化され得るか、または、複数のファージを保有する場合は、異なる時に活性化され得、複数ファージ保有型ドレッシングを製造する別の方法を提供する。
【００３９】
上記のすべては、適切な緩衝剤中に含まれるウイルス／ファージを含み得、それは、製品の識別のため、またはドレッシングの取り換えが必要か否かのシグナルを提供するための指標として、染料を含んでも含まなくてもよい。あるいは、指標としての染料は、マーカーとして、または特定のウイルス／ファージの付着領域を区別するために別に利用され得る。染料はまた、ウイルス／ファージを特定の表面に付着させるリンカーを形成し得る。
【００４０】
加えて、ウイルス／バクテリオファージは特定の領域に付着され、様々なパターンに適用され、それにより製造に要求されるウイルス／ファージの量を減らし得る。さらに、パターニングおよび／またはカラーマーカーがＬＶＣＣまたはドレッシングの識別に用いられ得る。さらに、ウイルス／ファージの種類に従ってあらかじめ着色された領域にウイルス／ファージが付着され得る。あるいは、それらは、着色されていない領域に付着されてもよい。
【００４１】
変型では、次の微生物の侵入を防ぐために上記のウイルス／ファージがドレッシングの表面に付着され得るか、または従来型の抗細菌剤（殺菌剤または抗生物質）を表面に用いてもよい。したがって、ファージは、単独で、または抗細菌化合物（殺菌剤、抗生物質またはその他）および／または酵素（これらもまた、付着したファージの効果を増加させ、その作用を助ける特定目的で、例えばバイオフィルムを除去する、またはファージとともに抗菌バリアを提供するために適用されることにより固定化され得る）と組み合わせて、ドレッシングやＬＶＣＣに適用され得る。このように、ドレッシングおよびＬＶＣＣは、１種類より多く抗菌剤を含んでもよく、いくつかのウイルス／ファージを従来の抗菌性化学物質または酵素のようないくつかの他の物質と結びついて含んでもよい。確かに、そのような組み合わせは、相乗的に作用し得る。
【００４２】
選択肢は、上述したように、ファージをＬＶＣＣ繊維またはストランドに付着させることを含み、繊維またはストランドは着色されていてもよく（これも上述したように）、そして表面に付着され得るか、または表面内に織り合わされ得るか、またはその両方であり得る。繊維は、ドレッシングまたはＬＶＣＣのタイプを表すために種々のパターンで織り込まれ得るか、または付着され得る。その繊維は、ファージを、活性／接触面上／中への組み込みの前または後に付着させてもよい。さらに、ＬＶＣＣ繊維は、用いられるファージに従って着色されてもよく、または交互に、着色されていないが、ドレッシングの接触面の着色印刷された領域またはそのドレッシングの他の領域に織り込まれてもよい。
【００４３】
あるいは、繊維のＬＶＣＣは、着色されているかまたは着色されていない２本以上のストランドを含み、１本のストランドもしくは両方にウイルス／ファージを付着させ（複数ファージドレッシングの場合について以下に述べる）、そしてドレッシング内に付着させるか、またはおそらく完全に統合されたものであってもよい。
【００４４】
他の選択は、標的微生物へのアクセスが創傷に隣接して位置する透過性もしくはメッシュ状の膜を通して起こるように、上記の方法のいずれかに従って、ドレッシングの中間層への付着を通じてウイルス／ファージをドレッシング中に組み込むことである。
【００４５】
追加の実施形態は、種々のキャリア物質で構成される粒子および／またはビーズに付着しているファージで構成されるＬＶＣＣの組み込みを含み得る。このことは、粒子／ビーズへの直接的な付着、または多数の小さい粒子もしくは微細なストリップを生成するように細かく分割され得るシートもしくは平面上の表面への固定化を通じて、達成され得る。粒子はエアロゾルまたはネブライザーを通じて投与され得、ドレッシングもしくはＬＶＣＣに、または必要な領域上／中に直接、スプレーまたは印刷され得る。
【００４６】
加えて、バクテリオファージは、２段階の活性化プロセスを通して様々な表面に付着され得、それにより、ＬＶＣＣを生成するためにファージがフィラメント、粒子またはビーズに固定化される。第２工程では、ＬＶＣＣ自体が、前述したようなデバイスの表面に固定化／付着される。あるいは、ファージが固定化され得る材料がデバイス（人工器官のような）に不可逆的に結合された後第２の活性化工程が続き、デバイスに結合しているキャリア基質にファージを固定化する。
【００４７】
多数の微生物／細菌に対して活性であるＬＶＣＣもしくはドレッシングの構築は可能である。１つのアプローチは、いくつかの異なるファージの種類を含む不均一の混合物を利用することを含み得、それは、接触面全体にわたってまたは上述したように特定の場所で固定化するための、大量のファージ源として使用される。
【００４８】
もう一つのアプローチは、それぞれ均一な溶液中に区別して別々に保持した特定のファージを含み得、これらの溶液が並行して活性化されて投与される（２（もしくは多）ジェット印刷タイプ）。この実施形態によると、ウイルス／ファージは、それらが印刷ジェットを退いて移動するより前もしくは移動と同時に、活性化され、固定化の準備ができている。
【００４９】
もう一つの実施形態は、特定のファージタイプを既定の順序でＬＶＣＣもしくはドレッシング接触面に、いくつかの表面活性化工程を経て固定化することを含む。このアプローチは、逐次的活性化および付着工程がそれ以前に固定化されたファージに影響を与えないように、最初の固定化プロセス後に残っている結合部位を用いる。
【００５０】
あるいは、ファージは、必要とされる治療の種類によって個々にまたは組合せで、ドレッシング接触面の特定の領域にその特定領域の逐次的活性化を通じて、付着されてもよい。領域は色でコードされ得る。
【００５１】
さらに、特定のウイルス／ファージが、個々の繊維もしくは微細なストリップで構成されるＬＶＣＣに付着されて、そして上述したように、ドレッシングの表面に付着もしくは織り込まれ得るか、または他のデバイスに付着され得る。繊維が、ウイルス／ファージをその上に既に固定化し得るか、または一旦組み込まれたウイルス／ファージを受容するように活性化され得るか、または活性化されたファージを単に受容し得る。
【００５２】
繊維は、ウイルス／ファージの種類に従って色でコードされ、そして２以上のフィラメントで構成されるストランドにねじられ得る（床屋のポールのように）、次いで、ドレッシングまたは接触面に織りこまれ得るか付着され得る（またはその両方）。さらに、着色された指標ストリップが加えられ得（付着、織り込み、もしくは印刷）、それは、ドレッシングの取り換えの最適なタイミングを示すために時間が経つと色が変化する。
【００５３】
繊維もしくはストリップを組み込むよりむしろ、上記のすべては、ウイルス／ファージを付着しているかもしくは付着を許容する位置にあり、そしてそれ自体が、織り合わされた繊維で構成されてもよく、または両方の組合せでもよい平面ＬＶＣＣ材料（種々の形状の）のドレッシング表面‘パッチ’への組み込みもしくは付着によって達成され得る。
【００５４】
接触面、繊維またはストリップは、カラーマーカー等のインジケーターを含み得、それは使用者に付着しているウイルスの種類を知らせ、および／またはＬＶＣＣもしくはドレッシングの正しいポジショニングに役立つ。
【００５５】
固定化されたウイルスは、そのウイルスが緑色蛍光タンパク質等のようなマーカー蛋白質を発現させ得るように、微生物がウイルスに感染されたときにマーカー遺伝子が発現して、マーカー蛋白質が製造されるように、それ自体が改変されてもよい。これは順に検出され得、医師は傷に微生物が存在するという事実を警告される。次いで医師は、汚染部位に活性バクテリオファージ集団を保持するように適時ドレッシングを変え、微生物が傷にいなくなったことを示す色の変化がない状態が観察されるまで行い得る。これを容易にするため、ドレッシングは透明であるか、または部分的に透明であることが望ましく、それにより創傷表面での着色が観察できる。
【００５６】
創傷は、内部創傷、いくつかの組織層を含む創傷、皮膚層中の創傷、もしくは被験体の皮膚表面にある創傷であり得る。多くの種類の創傷が知られており、それらは外傷、手術、火傷、切り傷、擦り傷、潰瘍および床ずれで引き起こされるもの、および糖尿病、血行不良等で引き起こされる他の病変を含む。この用語はまた非常に幅広く使われており、体液を吸収して重篤な微生物感染が起こるのを予防するのが望ましいとされ得る他の適用を包含する。このような１つの適用は、タンポンのような女性の衛生用品であり、これは月経を吸収し、同時にトキシックショック症候群の発症を防ぐかまたは最小化する。それはまた、実際の術部を含み得、それゆえに、固定化されたファージは、吸収性材料（過剰な液を吸収するために術野内にしばしば置かれる）または保護材料（例えば使い捨て製品）に、抗菌特性をもたらし得る。
【００５７】
被験体は、飼育動物または家畜のような動物被験体であってもよいが、特にヒトであってもよい。
【００５８】
本発明の１つの実施形態は、固定化したウイルスを有する吸収性材料を含む、吸収性の医療用または衛生用製品を提供することであり、固定化したウイルスを吸収性材料にまたは吸収性材料の内部に付着、または吸収性材料を覆う透過性表面の少なくとも一部に付着している。そのような製品には、生理用ナプキン、タンポン、おむつ、スポンジ、および衛生ティッシュなどが含まれる。上記および他所に記載の吸収性材料は、セルロースもしくは綿、ヒドロゲルポリマー、カルボキシメチルセルロース、または他の適切な材料を含む天然もしくは合成の製品であり得る。
【００５９】
別の実施形態では、ＬＶＣＣは、微生物分解を受けやすい材料および製品の貯蔵、梱包、および輸送を助けるために用いられ得る。このことは、媒体もしくは梱包中に含有することによってであり得、または材料および製品の貯蔵を補助および促進するためであり得る。そのような材料は、器官、および移植予定の他の組織もしくは材料を含み得る。例として、角膜移植物があり得、これは使用前に貯蔵し運搬され、そして組織が使用不能になる微生物汚染および分解を受けやすい。
【００６０】
別の実施形態では、ＬＶＣＣは、消費用もしくは貯蔵された種子ストックとして使用さ
れる、果実、野菜、葉、茎、花、根、塊茎、苗、および種子を含む、幅広い植物材料に適
用される。本発明の実施形態に従って、種子が生存性を維持し、実質的にその表面がＬ
ＶＣＣのキャリア成分となるように、バクテリオファージは種子の表面に直接固定化され
る。そして、貯蔵、発芽、収穫、運搬および販売の間に発生する細菌性植物疾患と闘う手
段を提供する。
【００６１】
ゆえに、本発明は、バクテリオファージが付着された植物材料であって、該バクテリオ
ファージが感染力を保持している、植物材料を提供する。
【００６２】
異なった細菌に感染する複数のバクテリオファージが付着されてもよく、これはより広い活性スペクトルを与える。
【００６３】
適切な植物材料は、果実、野菜、葉、茎、花、根、塊茎、苗、および種子を含む。消費用種子（例えば動物もしくは鳥によるもの）は１つの例である。種子ストック（例えば播種前に貯蔵されたもの）は別の例である。
【００６４】
本発明の植物材料は、植物疾患、または、該植物材料を摂食する動物の疾患（例えば、消化管内での細菌感染）の予防または治療のために用いられ得る。
【００６５】
本発明の組成物の例は、本発明の植物材料（特に種子）を含む動物もしくは鳥用食品である。食品は、本発明の種子から作られるかまたは種子を含む、ケーキまたはペレット状であり得る。食品は、ファージを付着させるように処理されるケーキもしくはペレット状であり得る。この処理は例えば、食品をファージが共有結合的に付着した粒子の水溶液で処理し、次いで典型的には食品を乾燥して粒子を付着させることによる。あるいは、粒子を乾式調製して食品と合わせ得る。
【００６６】
一般的に、バクテリオファージは植物材料に間接的に付着され得る。例えば、植物疾患に対抗するためにファージを送達する方法を提供する粒子（群）に付着される。例えば、ファージが付着した粒子の溶液を植物材料上にスプレーし、乾燥させてそれらをくっつけ得る。下記の例では、そのような方法によって、そのような粒子をジャガイモ塊茎に付着させた。ファージは生存性を保持し、塊茎の疾患を予防するのに有効であった。
【００６７】
ゆえに、本発明は、バクテリオファージが共有結合で付着された粒子の水性製剤を植物材料と組み合わせる工程、およびためにこの組合せを乾燥させて粒子を植物原料に付着させる工程を含む方法を包含する。あるいは、例えば植物材料にまぶすといったように、粒子の乾式調製が植物材料と組み合わされ得る。
【００６８】
下により詳しく記載された、本発明の特定の実施形態においては、バクテリオファージをトマト種子に共有結合で付着させた。他の実施形態におけるテストにより、この様式（トマト種子表面で見られたように）でセルロースに付着しているファージが生存性を保持していたことが確認された。トマト種子を一例として使用した。他の種子も使用でき、小さな種子（タバコ）から大きな種子（トウモロコシ）まで同様の結果が得られた。種子の化学的およびコロナ活性化により、種皮表面の一時的な修飾がなされる。この種皮表面は、様々な量のタンパク質および脂肪酸とともにセルロースまたはペクチンに関連するポリマーを含む。そのような全ての材料は、コロナ電場にさらされると、反応性のフリーラジカル種を生み出す。これは、バクテリオファージのタンパク質外皮または他の存在と反応して、崩壊し、数秒のうちに安定な共有結合を与える。この結果は、コロナ活性化は表面現象であることを示し、種子の生存性は、発芽によりテストされたところでは、悪影響はなかった。実際、コロナ処理をしていないものに比べ発芽は改善された。
【００６９】
他の植物材料（例えば、葉、茎、花、根）をコロナ電場で処理した場合にも、同様の効果が見られる。活性化および反応は、クチクラ表面で起こり、結果としてバクテリオファージが付着する。植物材料の先端とコロナ電極との間で火花が生じるときにのみ、植物への損傷が起こる。したがって、植物材料は、直接付着（例えば、共有結合で）付着したファージを有する保持できる。植物材料はまた、ファージが共有結合で付着した粒子と結合させ、または組み合わせることもできる。ファージを有する粒子は植物材料の上で乾燥させ得る。この粒子は、そうでなければ、他の植物材料と結合することができる。
【００７０】
本発明のさらに特定の実施形態によれば、ジャガイモ塊茎を固定化されたファージで処理した。詳細には、ファージをセルロース粒子の表面に付着させ、これらを、この粒子が付着できるように、この粒子の溶液を塊茎にスプレーし、次いでこの塊茎を乾燥させることにより、ジャガイモの表面に固定化させた。ジャガイモ植物の生長は、この処理により、驚くほど改善された。感染の発生が減少し、処理した植物の生長も顕著に良くなった。
【００７１】
ある実施形態では、ＬＶＣＣの種子ベースの形態は、消化管の細菌感染のような細菌感染に感受性である種子摂食生物の治療のために、バクテリオファージを送達するために用いられ得る。同様に、ＬＶＣＣは、消化性疾患および他の病気の治療のために他の食料品に適用され得る。あるいは、ＬＶＣＣは、粗挽きの穀の代わりに用いて、鳥類の病気の治療のために用いられ得る。このように、病原細菌に対抗するバクテリオファージは、動物の細菌病の治療のために、消化管に投与され得る。
【００７２】
ＬＶＣＣはまた、抗細菌治療を下部消化管に送達するために、直腸投与され得る。
【００７３】
さらに他の実施形態では、ＬＶＣＣは全身感染性のバクテリオファージ治療を動物に送達するために用いられ得る。これには、例えば抗細菌作用を供給するために、循環系またはリンパ系に、または直接脳脊髄液またはこれが望ましい他の体腔または器官に注射することによる。あるいは、ＬＶＣＣは、気道の感染に対抗するために、吸入によるバクテリオファージまたは他のウイルスの送達を可能にし得る。
【００７４】
固定化は、例えば、化学結合（共有結合、イオン結合、水素結合またはファンデルワールス結合）による特定の物理的固定化に関連するものとして理解される。それゆえ固定化は、他の受動的なウイルス突起の基質に対する結合とは区別される。さらに、固定化は、ウイルスが細胞への感染能を保持するようなものである。それゆえ、固定化は、所望の標的細胞にウイルスがなお感染できることを条件として、頭部またはカプシドタンパク質またはウイルスの他の表面タンパク質を介して起こり得る。より好ましくは、バクテリオファージ／ウイルスは、その頭部の基またはヌクレオカプシドを介して基質に固定化される。固定化は、バクテリオファージ／ウイルスを添加し、連結させる前に基質を活性化することにより行われる。共有結合での付着が付着のの好ましい手段である。
【００７５】
本発明の用語「ウイルス」は、２本鎖または１本鎖のＲＮＡまたはＤＮＡウイルスを含む。細菌に感染し、一般的にバクテリオファージと言われるものも含む。より好ましい実施形態では、ウイルスはバクテリオファージである。
【００７６】
多くの異なるタイプのバクテリオファージ／ウイルスが当該分野において知られている。適切なバクテリオファージ／ウイルスを、対処すべき細菌問題に応じて選択し得る。例えば、創傷治療のために、臨床医は、特定の傷に感染しやすい細菌／原虫／カビの共通のタイプに気づいていると思われる。創傷ドレッシングは特定の傷に感染し得る細菌／原虫／カビに感染してその増殖を最小化させるように設計される１またはそれ以上の異なるタイプのバクテリオファージ／ウイルスを含んでいても良い。
【００７７】
潜在的な創傷の病原体の例としては、ストレプトコッカス、例えば、ストレプトコッカス・ピロジェネス；エンテロコッカス、例えば、エンテロコッカス・ファエカリス；スタフィロコッカス、例えば、スタフィロコッカス・アウレウス、特にメチシリン耐性のスタフィロコッカス・アウレウス（ＭＲＳＡ）；シュードモナス・エルギノーサ；エンテロバクター；大腸菌；クレブシエラ種；プロテウス種；バクテロイデス属；クロストリジウム；カンディダのような酵母；およびアスペルギルスが挙げられる。
【００７８】
本発明の用語「キャリア／基質」は、ウイルスが固定化され得る、あらゆる固相材料を意味すると理解される。例えば、前記キャリアは、例えば、複雑なバクテリオファージのようなウイルスの頭部基特異的結合を可能にするように有利に活性化され得る材料であり得る。前記基質は、多数の形態を取り得、例えば、ナイロンおよび他の類似のポリマー、反応基（例えば、アミノまたはカルボキシ表面基）を有するポリマー、セルロースまたは他のヒドロキシル含有ポリマー、ポリスチレンまたは他の類似のポリマーである。基質はまた、多数の共有結合モノマーサブユニットから構成される、および単一の繰り返しモノマーまたはモノマー種の組合せから構成される長鎖のマクロ分子のようなポリマーであり得る。典型的には、基質には、モノマーまたはポリマーの形態にて、単一または組み合わせまたはコポリマーとしての天然の、合成、または生物合成の生体吸収性／生体再吸収性材料が含まれる。例えば、ポリグリコール酸（ＰＧＡ）、ポリ乳酸エナンチオマー（ＰＬＡ）、およびポリ―Ｄ−Ｌ−乳酸コポリマーポリグリコール酸（ＰＤＬＬＡ−ｃｏ−ＰＧＡ）、ポリジオキサノン（ＰＤＯ）およびポリトリメチレンーカーボネート（ＴＭＣ）、ポリエーテルエーテルケトン（ＰＥＥＫ）およびそれらの組み合わせおよび複合物が挙げられる。基質にはまた、プラスチックまたは他の前述のポリマーまたはビーズまたは粒子が含まれる。それらは磁気性であり得るか、またはアルギン酸のような生物材料、ガラスまたはガラス繊維、ステンレス鋼、シリコーン、絹、コラーゲン、またはセラミック材料から構成されていてもよい。より好ましくは、前記基質は、治療または治療補助における医療デバイスに通常使われる材料から作られる。例えば、縫合糸として通常使用される材料、およびまた、開放創傷を手当するために使用されるリントまたはガーゼ材。ある実施形態においては、基質は、生分解性／生体再吸収性であってもよく、それゆえ、体液と接触させて配した際に、経時的に生体内で分解し再吸収され得る。ドレッシング層は、例えばヒドロゲル材料から形成されるものであってもよく、これにウイルスが付着される。これはまた、創傷からの液体を吸収して、そのような液体を固定化されたウイルスと接触させる役割を果たし得る。
【００７９】
本発明の用語「活性化された／活性化する／活性化」は、基質および／またはウイルスを、前記基質／ウイルスを様々な化学基と反応させることにより活性化することを意味すると理解される（バクテリオファージの頭部またはカプシド表面のタンパク質または基のような表面化学は、ウイルスに結合できるままとする）。あるいは、固定化は、電気的活性化または他の電気的放電、電場または電界効果（例えば、プラズマ）、マイクロ波、光電効果、高周波場効果、ガンマ線および他のエネルギー放射などにより達成されてもよい。これは、キャリア基質またはウイルスまたは基質とウイルスとの両方に適用されてもよい。
【００８０】
基質の活性化はまた、例えば、酸、好ましくはＨＣｌによる予備的加水分解により達成されてもよい。予備的加水分解に続いて、酸を除去するために水とアルカリによる洗浄工程が行われる。好ましくは、前記アルカリは、重炭酸ナトリウムである。頭部基を介したウイルス（例えば、バクテリオファージ）の結合が重要である。例えば、複雑なバクテリオファージの場合、頭部基を介した結合により、尾部基（細菌特異的な認識に必要である）は、宿主細菌細胞への感染、すなわち、結合および浸透を自由にすることができる。宿主細胞のこの感染メカニズムは、細菌のみに感染して増殖するウイルス以外の他の多くのウイルスについても同様であると理解される。複数のウイルス（例えば、様々な株特異的バクテリオファージ）が、常に基質に固定化され得る。
【００８１】
基質に対するウイルスの結合は、ウイルス外皮タンパク質と基質との間の共有結合のような結合の形成の結果であり、例えば、ペプチド上のアミノ基を介し、例えばペプチド結合である。このプロセスを助ける「結合剤」は、使用される基質に応じて変わる。例えば、基質ナイロン、またはアミノ基またはカルボキシ表面基を有する他のポリマーに結合させるために、結合剤カルボジイミドまたはグルタルアルデヒドが使用され得る。
【００８２】
基質セルロースまたは他のヒドロキシ基含有ポリマーに結合させるために、結合剤ビニルスルフォニルエチレンエーテルまたはトリアジンが用いられ得る。
【００８３】
ウイルスを基質ポリエテンまたは他の類似のポリマーまたは他の多くのタイプのポリマーと結合させるための結合剤には、コロナ放電または過マンガン酸塩酸化が含まれる。
【００８４】
コロナ放電技術を用いて、遊離のウイルスを変性させる環境条件下でもウイルス抗細菌活性が長期間持続されるように、広い範囲の基質にウイルスを固定化することができることが証明された。本明細書中、包括的なリストが上に示され、以下のような基質を含む：ナイロンおよび関連ポリマー、ダクロン、ポリスチレン、プラスチックおよび関連ポリマ、天然および合成ゴム、単一のまたは組み合わせまたはコポリマーとして生体吸収性／生体再吸収性モノマー、ポリマーおよびコポリマー（例えばポリグリコール酸（ＰＧＡ）、ポリ乳酸エナンチオマー（ＰＬＡ）およびポリＤ−Ｌ−乳酸コポリマーポリグリコール酸（ＰＤＬＬ−ｃｏ−ＰＧＡ）、ポリジオキサノンおよびポリトリメチレンカーボネート（ＴＭＣ）、ポリエーテルエーテルケトン（ＰＥＥＫ）ならびにそれらの組み合わせおよび複合物）、シリコン、セラミックス、ガラスおよびガラス繊維、金属（鋼鉄、アルミニウムおよび金属合金を含む）、コラーゲン、ケラチン、アクリルおよび様々な塗料、骨、絹、セルロース（紙、綿、リント、テープおよびガーゼ）、レーヨン、天然および合成スポンジ、アルギン酸、ヒアルロン酸、ゲル表面（例えばヒドロゲル）。
【００８５】
一般的に言って、バクテリオファージを基質に結合させるための結合剤は以下を含む：S−アセチルメルカプトコハク酸無水物、S−アセチルチオグリコール酸Ｎ−ヒドロキシスクシンイミドエステル；アジピン酸ジヒドラジド；４−アジド安息香酸Ｎ−ヒドロキシスクシンイミドエステル；Ｎ−(5−アジド−２−ニトロベンジルオキシル)スクシンイミド；６−（４−アジド−２−ニトロフェニルアミノ）ヘキサン酸Ｎ−ヒドロキシスクシンイミドエステル；ｐ−アジドフェンアシル臭化物；４−アジドサリチル酸Ｎ−ヒドロキシスクシンイミドエステル；ブロモ酢酸Ｎ−ヒドロキシスクシンイミドエステル；１，４−ブタンジオールジグリシジルエーテル；２−ジアゾ−３，３，３−トリフルオロプロピオン酸ｐ−ニトロフェニルエステル；ジエチルマロニミデート；４，４’ジイソチオシアナトスチルベン−２、２’ −ジスルホン酸；ジメチルアジピミデート；ジメチル３，３’ジチオビスプロピオンイミデート；ジメチルピメリミデート；ジメチルスベリミデート；４，４’ −ジチオビスフェニルアジド；ジチオビス（プロピオン酸Ｎ−ヒドロキシスクシンイミドエステル）；エチレングリコールビス−（コハク酸Ｎ−ヒドロキシスクシンイミドエステル）；４−フルオロ−３−ニトロフェニルアジド；ｐ−フォルミル安息香酸Ｎ−ヒドロキシスクシンイミドエステル；グルタルアルデヒド；２−イミノチオラン；６−（ヨードアセトアミド）カプロン酸Ｎ−ヒドロキシスクシンイミドエステル；ヨード酢酸Ｎ−ヒドロキシスクシンイミドエステル；３−マレイミド酢酸Ｎ−ヒドロキシスクシンイミドエステル；３−マレイミド安息香酸Ｎ−ヒドロキシスクシンイミドエステル；４−（Ｎマレイミド）ベンゾフェノン；ｙ−マレイミド酪酸Ｎ−ヒドロキシスクシンイミドエステル；ｓ−マレイミドカプロン酸Ｎ−ヒドロキシスクシンイミドエステル；４−（Ｎ−マレイミドメチル）シクロヘキサンカルボン酸Ｎ−ヒドロキシスクシンイミドエステル；４−（Ｎ-マレイミドメチル）シクロヘキサンカルボン酸３−スルホ−Ｎ−ヒドロキシスクシンイミドエステル；マレイミドプロピオン酸Ｎ−ヒドロキシスクシンイミドエステル；Ｎ，Ｎ’−ビス（３−マレイミドプロピオニル）−２−ヒドロキシ−１，３−プロパンジアミン；１，４−フェニレンジイソチオシアネート；Ｎ，Ｎ’−o−フェニレンジマレイミド；ポリオキシエチレンビス（グリシジルエーテル）；ビス（ポリオキシエチレンビス（グリシジルエーテル）；ポリオキシエチレンビス（イミダゾリルカルボニル）；ビス（ポリオキシエチレンビス［イミドリルカルボニル］）；ポリオキシエチレンビス（ｐ−ニトロフェニル）カーボネート）；３−（２−ピリジルジチオ）プロピオン酸Ｎ−ヒドロキシスクシンイミドエステル；スベリン酸ビス（Ｎ−ヒドロキシスクシンイミド）エステル；コハク酸マレイミドエチル−Ｎ−ヒドロキシスクシンイミドエステル；１，５−ビス（スクシンイミドオキシカルボニルオキシ）−ペンテン；ビス（Ｎ−スクシンイミジル）カーボネート。
【００８６】
好都合なことに、ウイルスがキャリア基質に固定化されると、前記固定化は安定性を付与し得る。例えば、固定化されたウイルスは、さもなければ、急速にウイルスを不活性化し得る例えばプロテアーゼ薬剤と接触した場合でも、その生存性および感染性を維持するように安定化される。さもなければウイルスを不活性化する脱水、温度、またはｐＨのような物理的ストレスにさらされても同様である。
【００８７】
本発明は、以後、実施例によって、かつ図を参照してさらに記載される。
【実施例】
【００８８】
実施例１−深創傷の感染に対抗するためのバクテリオファージの送達のためのＬＶＣＣの有効性
【００８９】
図１は、ドレッシング（２）により組織（３）中の傷（４）上に圧迫した、本発明のＬＶＣＣ（１）を概略的に示す。
【００９０】
図２ａは、ＬＶＣＣを取り込んだ本発明のドレッシングを逆さにした断面を示す。袋（５）はＬＶＣＣ（６）を包み込み、ドレッシング（７）に接着しており、頂部ドレッシング表面（８）を持つ−それゆえ図では逆になっている。
【００９１】
図２ｂは、ドレッシング（１０）に織り込まれたＬＶＣＣ（９）を概略的に示す。２つのフィラメント（９ａおよび９ｂ）は異なる色で、異なるバクテリオファージが付着している。図３は、さらに、ファージが付着したフィラメント（１２）が取り込まれたドレッシング（１１）の概略を示す。
【００９２】
第一の例では、インビボモデルを用いた、感染した深創傷環境への細菌感染に対抗するバクテリオファージを送達するＬＶＣＣの有効性が証明されている。いくつかの組織層を貫通し、あらゆるレベルでメチシリン耐性スタフィロコッカス・アウレウス（ＭＲＳＡ）（Ｅ１５）に感染した深創傷を、感染するＭＲＳＡ株に対して活性なバクテリオファージで構成されたＬＶＣＣで処置した。
【００９３】
バクテリオファージを、創傷閉鎖縫合糸の製造で使用されるものと同様の合成ナイロンポリマーフィラメントに固定化した。様々なレベルで感染した創傷を、縫合糸としてＬＶＣＣを用いて閉鎖した。フィラメントのＬＶＣＣは、その表面に固定化した抗ＭＲＳＡバクテリオファージを有するもの（テストされるべきプロトタイプのＬＶＣＣ）か、または有しないもの（対照）とした。
【００９４】
ＬＶＣＣで処置した全ての被検体において、感染は制御され、減少され（目視と細菌数により証明されたように（図４ａおよび図４ｂ参照）、正常に傷の治癒が進んだ。対照的に、対照のの被検体におけるＭＲＳＡの増殖は抑制が効かず、傷は炎症を起こして化膿し、治らなかった。
【００９５】
結果は、ＬＶＣＣを用いることで、バクテリオファージが、インビボモデルにおいて長期間、強力な殺菌効果を送達することを示す−表１Ａおよび１Ｂ参照。
【００９６】
実施例２−長期安定性
感染した被検体から回収したＬＶＣＣを、洗浄して、４℃で保存し、インビトロで生育させたＭＲＳＡに対する抗菌活性継続について定期的に評価した。一連の実験において、抗ＭＲＳＡ活性は、細菌叢内に置かれたＬＶＣＣにより証明されたように維持された。バクテリオファージ活性（回収されたＬＶＣＣの周囲に見られる除去により示される）は保存後数週間にわたっていた−図５参照。
【００９７】
実施例３−乾燥、紫外線照射および温度に対するＬＶＣＣにより付与された安定性
これらの実施例において、ＬＶＣＣを、活性化されたナイロンポリマーまたは木綿繊維をキャリア基質として用いて生成した。バクテリオファージが付着したＬＶＣＣを、一連の環境条件に曝露した。環境条件は、乾燥（バクテリオファージの生残に対する相対湿度の効果によって示される）（図６ａ参照）、紫外線（図６ｂ参照）および高温（図６ｃ参照）を含む。これら全ての条件は、遊離のバクテリオファージを変性させることが知られている。
【００９８】
３つの２×１ｃｍファージストリップをＬＢＭ寒天上に置き、無菌箱中で５分間、１５分間および３０分間紫外光に曝露した。次いで、そのストリップをひっくり返して寒天の新鮮な場所に置き、ＵＶ照射を繰り返した。対照区のファージストリップを同様に処理したが、ＵＶから遮蔽した。次いで、そのストリップを１５ｍｌのＬＢ培養液に移し、５０μｌのスタフィロコッカス・アウレウス懸濁液を接種し、培養した。
【００９９】
結果−表２参照。
結論：付着したファージは無菌箱ＵＶへの３０分曝露まで持ちこたえることができる。スタフィロコッカス・アウレウス細菌細胞はＵＶ源に５分間曝露することにより死滅する。
【０１００】
実施例４−極端な環境における持続的生存性
この実施例では、ＬＶＣＣバクテリオファージの高められた安定性および生存性が、土壌により供給される厳しい条件にさらすことで決定された。研究は、ナイロンポリマーまたはセルロースに固定化されたバクテリオファージを用いた２つのタイプのＬＶＣＣの構築を含んだ。次いで、おのおののＬＶＣＣを非滅菌または滅菌した土壌に埋め、サンプルを３週間の期間にわたって採取し、ＬＶＣＣの抗細菌活性を評価した。
【０１０１】
結果は、遊離のバクテリオファージと比べて、両方のＬＶＣＣバクテリオファージタイプが、バクテリオファージの生残性を高めることを示す（図７参照）。
【０１０２】
実施例５−多数のバクテリオファージで構成されたＬＶＣＣ
２つの異なる標的細菌に対して活性である２つのバクテリオファージを用いて、共通のキャリア基質上に固定し、抗細菌活性を試験したＬＶＣＣ性能の評価。細菌叢上の除去パーセンテージは、宿主株における各々のファージによる平均除去（ｍｍで測定）に基づく。
【０１０３】
結果は、抗細菌活性は減少せず、ＬＶＣＣバクテリオファージは両標的細菌に対して依然として活性であったことを示す（図８参照）。２つの細菌種（１宿主、１非宿主）への処理材料の曝露が、なお感受性宿主の除去を生じる。
【０１０４】
実施例６−深創傷の治療
１０匹の対照動物（ラット）において、傍脊柱筋中に深く切開し、５％の豚胃ムチンに懸濁した１００μｌの５×１０７ｃｆｕ／ｍｌのＥ１５  ＭＲＳＡを感染させ、傷を通常の縫合により閉じた。同じ切開を有する１０匹の試験動物に５％の豚胃ムチンに懸濁した１００μｌの５×１０７ｃｆｕ／ｍｌのＥ１５  ＭＲＳＡを与え、バクテリオファージ処理フィラメントを深創傷に挿入し、固定化したバクテリオファージはファージＫであった。
【０１０５】
全ての動物を、術後に鎮痛剤で処置し、最初の１２時間は１時間間隔で、感染後、次の１２時間は３時間間隔で、次の２日間は６時間間隔で、それ以降は１日２回観察した。
【０１０６】
創傷部位を、これらの時間間隔で、１４日まで炎症および感染（膿の形成）の兆候について調べた。目視による結果を表３に示す。
【０１０７】
感染対照区を示す図９を参照すると、示されたように、部位は依然として大きく腫れた状態であり、仮にあったとしてもほとんど治癒されておらず、１４日目には切開部位は隆起していた。図１０に示すように、開くと、膿で満たされた切開部位が明らかになった。
【０１０８】
バクテリオファージを付着させたテストフィラメントの使用を図１１に示す。これはよく治癒された切開部位で、１４日目において腫れが最小であった。内部部位は、１４日目において、創傷部位への腫れが減少し、傍脊柱内の膿の形成も減少したことを示した。
【０１０９】
実施例７−トマト種子へのバクテリオファージの固定化
バクテリオファージの調製
我々は、ペクトバクテリウム・カロトバラム株を２０％トリプチック・ソイ・ブロス（他の適切な培地も知られている）上で生育させ、対数増殖期に培養物に溶菌性バクテリオファージを感染させた。溶菌が起こると、我々は、遠心によりバクテリオファージを精製し、蒸留水に再懸濁し、遠心により濃縮することにより、バクテリオファージペレットを３度洗浄した。
【０１１０】
コロナ処理
トマト種子を、７５ｋVで１秒間コロナ場で処理し、次いでバクテリオファージ懸濁液中に浸漬した（代替としては、処理した種子をバクテリオファージ懸濁液でスプレーすることである）。我々は、水で３回種子を洗浄し、結合していないバクテリオファージを除去した（代替としては、コロナ処理の前に種子にバクテリオファージ懸濁液を適用することである）。他の場強度もまた効果的であり、洗浄は、観察された抗細菌効果が、吸着した「遊離の」バクテリオファージよりも共有結合したバクテリオファージにより生じるものであることを証明するためにのみ必要であることに留意されたい。
【０１１１】
発芽
それゆえ、我々は、（ｉ）非処理、（ｉｉ）コロナ放電処理、（ｉｉｉ）バクテリオファージ存在下でコロナ放電処理および（ｉｖ）遊離のバクテリオファージ処理の種子を調製し、それらの種子をシャーレ内にて水で湿らせた濾紙上で、室温で発芽させた（代替としては、ペクトバクテリウムの存在下および非存在下で、トリプチック・ソイ寒天（ブロスに２％寒天を加えたもの）上で発芽させることである）。
【０１１２】
結果
トマト種子は、コロナ（図１５）および抗ペクトバクテリウムファージとコロナ（図１４）において、対照区（図１３、コロナ無し）およびファージ無し（図１６）に比べ、発芽が増進された。適切なペクトバクテリウム株（使用したバクテリオファージに感受性の）を接種した寒天上で、コロナおよび抗ペクトバクテリウムファージで処理した種子の周りに、除去ゾーンは、見られる。トマト種子表面は、主としてセルロースである。そこで、我々は、セルロース粒子上に固定化したバクテリオファージの生存性を別途テストした−下記参照。
【０１１３】
実施例８−インビボ植物病原菌アッセイ
我々は、ＷＯ２００７／０７２０４９のコロナ放電方法後のセルロース粉末（サイズの範囲は、約１００ミクロン−１ｍｍ）の上にペクトバクテリウムファージを固定化した。
【０１１４】
我々は、適切なペクトバクテリウム株（使用されるバクテリオファージに感受性である）を寒天プレートに接種し、３カ所に処理したセルロース粒子を加えた。
【０１１５】
図１７に示す結果を参照すると、粉末粒子周囲の除去を見ることができ、固定化されたバクテリオファージの腐敗病細菌に対する活性を示す。これにより、活性バクテリオファージがセルロース材料に付着したことを確認した。
【０１１６】
実施例９−セルロース粒子上のバクテリオファージ
我々は、ＷＯ２００７／０７２０４９のコロナ放電方法後のセルロース粉末（サイズ範囲は約１００ミクロン−１ｍｍ）上にペクトバクテリウムファージを固定した。
【０１１７】
我々は、適切なペクトバクテリウム株（使用するバクテリオファージに感受性である）を寒天プレートに接種し、３カ所にセルロース粉末を加えた。
【０１１８】
我々は、プレートを（ｉ）無し＝対照区、（ｉｉ）溶液中の遊離のファージおよび（ｉｉｉ）溶液中のセルロース粒子に付着したファージで処理した。そしてバクテリア除去において同様の活性が観察されるまで、（ｉｉ）および（ｉｉｉ）を滴定した。同様の活性は、セルロース粒子に１つのファージが付着したときに比べて、約１００の遊離のファージが使用されたときに起こった。これにより、遊離のファージに比べて固定化されたファージの改善された特性を確認した。
【０１１９】
実施例１０−ジャガイモの処理
ジャガイモの塊茎は、（ｉ）滅菌水＝対照区、（ｉｉ）遊離のファージおよび（ｉｉｉ）実施例８および９と同様にセルロース粒子上に固定化したジャガイモ「黒脚病（blackleg）」の原因細菌に特異的なファージで処理した。
【０１２０】
塊茎を植え、成長を植物の数、茎の総数および黒脚病に感染した植物の数として記録した。結果を表４に示す。
【０１２１】
従って、我々は、ペクトバクテリウムで処理し、および水でスプレーすること（＋ve対照）で、他の処理と比べて、黒脚病がより多く発生し、植物および茎の出現数が最少となることがわかった。
【０１２２】
遊離のファージによる処理は、出現した植物の総数にはほとんど影響が無かった。
【０１２３】
＋ve対照に比べると、植物あたりの茎の数は増加した。
【０１２４】
遊離のファージによるただ１つの植物処理が黒脚病の病徴を示した。
【０１２５】
固定化されたファージによる処理により、対照区に比べ、出現した植物数とともに植物あたりの茎の数は増加した。植え付け８週間後の最後の観察において、黒脚病の病徴は、固定化されたファージで処理された塊茎には観察されず、持続的な抗細菌活性を示した。
【０１２６】
【表１】
2014528694.tif 000003
【０１２７】
【表２】
2014528694.tif 000004
【０１２８】
【表３】
2014528694.tif 000005
【０１２９】
【表４】
2014528694.tif 000006
【図１】
2014528694.tif 000007
【図２ａ】
2014528694.tif 000008
【図２ｂ】
2014528694.tif 000009
【図３】
2014528694.tif 000010
【図４ａ】
2014528694.tif 000011
【図４ｂ】
2014528694.tif 000012
【図５】
2014528694.tif 000013
【図６ａ】
2014528694.tif 000014
【図６ｂ】
2014528694.tif 000015
【図６ｃ】
2014528694.tif 000016
【図７】
2014528694.tif 000017
【図８】
2014528694.tif 000018
【図９】
2014528694.tif 000019
【図１０】
2014528694.tif 000020
【図１１】
2014528694.tif 000021
【図１２】
2014528694.tif 000022
【図１３】
2014528694.tif 000023
【図１４】
2014528694.tif 000024
【図１５】
2014528694.tif 000025
【図１６】
2014528694.tif 000026
【図１７】
2014528694.tif 000027
【手続補正書】
【提出日】平成25年4月23日(2013.4.23)
【手続補正１】
【補正対象書類名】特許請求の範囲
【補正対象項目名】全文
【補正方法】変更
【補正の内容】
【特許請求の範囲】
【請求項１】
バクテリオファージが共有結合で付着されている種子であって、種子を活性化し、次いで活性化した種子にバクテリオファージを付着させることにより該バクテリオファージが該種子に付着され、そして該バクテリオファージが感染力を保持している、種子。
【請求項２】
異なった細菌に感染する複数のバクテリオファージが付着されている、請求項１に記載の種子。
【請求項３】
消費用種子である、請求項１または２に記載の種子。
【請求項４】
種子ストックである、前記請求項のいずれかに記載の種子。
【請求項５】
植物疾患の予防または治療のための、前記請求項のいずれかに記載の種子。
【請求項６】
前記植物材料を摂食する動物の疾患の予防または治療のための、請求項１から４のいずれかに記載の種子。
【請求項７】
消化管内での細菌感染の予防または治療のための、請求項６に記載の種子。
【請求項８】
鳥類の疾患の予防または治療のための、請求項６または７に記載の種子。
【請求項９】
前記バクテリオファージが粒子に共有結合で付着され、かつ、該粒子が前記種子に共有結合で付着されている、前記請求項のいずれかに記載の種子。
【請求項１０】
種子を処理する方法であって、該種子を活性化させる工程、および次いで該活性化種子に前記バクテリオファージを付着させる工程を含み、該バクテリオファージが感染力を保持している、方法。
【請求項１１】
異なる細菌に感染する複数のバクテリオファージが前記種子に付着される、請求項１０に記載の方法。
【請求項１２】
前記種子が消費用種子または種子ストックである、請求項１０または１１に記載の方法。
【請求項１３】
植物疾患の予防または治療のための種子の調製のための、請求項１０から１２のいずれかに記載の方法。
【請求項１４】
種子を摂食する動物の疾患を予防または治療するための種子の調製のための、請求項１０から１３のいずれかに記載の方法。
【請求項１５】
前記バクテリオファージを粒子または複数粒子に共有結合で付着させる工程、および該粒子または該複数粒子を前記種子に共有結合で付着させる工程を含む、請求項１０から１４のいずれかに記載の方法。
【請求項１６】
植物材料を摂食する動物の疾患の治療または予防における使用のための植物材料を処理する方法であって、該植物材料が、果実、野菜、葉、茎、花、根、塊茎、および苗であり、バクテリオファージが共有結合で付着された複数粒子の水性製剤を植物材料と接触させる工程、および該組み合わせを乾燥させて該複数粒子を該植物材料に付着させる工程を含む、方法。
【請求項１７】
請求項１から９のいずれかに記載の種子を含む組成物。
【請求項１８】
植物材料を摂食する動物において疾患を予防または治療する方法であって、請求項１７に記載の組成物を該動物に投与する工程を含む、方法。
【請求項１９】
前記疾患が胃腸疾患である、請求項１８に記載の方法。
【請求項２０】
（i）フィラメント、（ii）平面材料、ならびに（iii）粒子および／またはビーズから選択されるキャリアと該キャリアに共有結合で付着されたバクテリオファージとを含む組成物であって、深創傷における細菌感染の治療または予防に用いられ、該組成物は、次いで閉鎖される深創傷内に設置され、そして該バクテリオファージが感染力を保持している、組成物。
【請求項２１】
前記キャリアが、生分解性および／または生体適合性である、請求項２１に記載の組成物。
【請求項２２】
前記キャリアが組織適合性であり、かつインサイチュで吸収され得る、請求項２０または２１に記載の組成物。
【請求項２３】
請求項２０から２２のいずれかに記載のフィラメント。
【請求項２４】
体内の部位での感染の治療方法であって、深創傷に請求項２０から２３のいずれかに記載のフィラメントを設置する工程、および次いで該創傷を閉鎖する工程を含む、方法。
【手続補正書】
【提出日】平成26年3月20日(2014.3.20)
【手続補正１】
【補正対象書類名】明細書
【補正対象項目名】全文
【補正方法】変更
【補正の内容】
【発明の詳細な説明】
【技術分野】
【０００１】
本発明は、持続可能な生存状態で、かつ細菌感染、コロニー形成、および／または汚染の防止および抑制に適した多様な形式で、ウイルス剤（例えばバクテリオファージもしくは他のウイルス）を送達する手段に関する。治療もしくは免疫化のときに特異的な遺伝子／タンパク質の送達に適した、遺伝子改変された生存ウイルスを設置しかつ送達する手段としても働き得るシステムが、提供される。本発明は、微生物／細菌の汚染、コロニー形成、もしくは感染が生じているか、または起こり得るような、および、バクテリオファージなどのウイルスの持続した抗菌活性が有益となり得る、ほとんど全ての状況において、微生物／細菌の増殖および／またはコロニー形成に対抗するのに適用され得る。
【背景技術】
【０００２】
多くの生物的な系および過程において、微生物／細菌の汚染または感染が、正常な生物的／生理的機能（治癒または成長のような）および腐敗速度に影響する主要な要因であることは、今では一般的に受け入れられている。創傷の治癒において、創傷の感染を予防することは、創傷のケアおよび回復の生命に関わる側面である。全ての創傷は感染を受けやすいので、創傷のケアは、これを考慮して最善の努力が実践されてきた。典型的には、創傷は、細菌を保有し得る異物を取り除くように洗浄され、そして組織が重篤な外傷を受けている場合、組織の修復は、しばしば縫合により促進される。股関節置換のような主要な外科的な手法においては、これは、いくつかの組織層の修復に続いて、一般的に入手可能な種類の滅菌創傷ドレッシングを伴う。典型的には、清潔を補助し、感染を防ぐために、滅菌創傷ドレッシングを皮膚表面に付与する。
【０００３】
これらの予防措置にもかかわらず、損傷中または不注意にも種々の内科的／外科的手順の間の物質の侵入を介して、感染は確立し得る。さらに、創傷の感染の問題は、深創傷に限られない。感染は比較的小さな病変を慢性の創傷へと変え得、これは、特に、老人、糖尿病患者、または虚弱者にとってますます大きな健康上の問題となる。
【０００４】
創傷の洗浄に加えて、深部の創傷の感染の確立を防ぐために様々なアプローチが採用されてきた。典型的には、深創傷から感染性の細菌を除去するために、（例えば歯の再建において）抗生物質が全身的におよび局所的に使用されたり、または強消毒性化学物質が使用されたりしてきた。不運にも、強抗菌性化学物質を付与しても、感染の確立もしくは再発の防止にたびたび失敗する。大部分において、これは、消毒薬が問題の細菌全てを完全に根絶することができないことに起因し得る。加えて、周知のとおり、多くの細菌は現在、抗生物質に対して耐性を持っており、抗生物質の有効性は徐々に希釈している。
【０００５】
それゆえ、細菌の感染および汚染に対抗する、より有効な手段が必要となっている。１つのアプローチは、バクテリオファージ（細菌を攻撃し破壊するウイルス）を利用することを伴うものであり、種々のグループが、それらの適用に成功したと報告している。感染に対抗する手段としてのバクテリオファージの適用に伴う中心的な問題は、バクテリオファージが強力な抗菌効果を及ぼすのに十分なほど長時間安定で生存できることを保証しつつ、適切な送達手段を得ることにあった。
【０００６】
液中の投与は多くの場合、現実的でないか実用的でない。必要なのは、殺菌剤としてのバクテリオファージの適用に一般的に適切であり、創傷のケアを含む多くの状況において実用性を持つ、送達手段である。バクテリオファージは、分解および乾燥の影響を受けやすいため、これは、理想的には強化された生存性および安定性を与えるべきである。
【０００７】
多くの従来のドレッシングは、創傷内からの余分な液を吸収するように設計された材料を使用しており、そのような液は、しばしば栄養素に富み、十分な細菌の増殖を後押しし得る。手術の開口または皮膚表面に細菌が完全に存在しないことは滅多にないので、ドレッシング材または包帯材はすぐに細菌数の増加を後押しする。細菌は、重篤な感染を引き起こし得るだけでなく、有害な毒素を出すこともあり、創傷の取り扱いの観点から著しい問題を引き起こす。１つの解決手段は、細菌の集積を妨げるために創傷ドレッシングまたは包帯を定期的に取り換えることであるが、これは常に、望ましいおよび/または実用的であるわけではない。
【０００８】
別のアプローチは、微生物の増殖を制限するように設計された物質でドレッシングを処理することである。しかしながら、多くのそのような物質は、創傷の滲出液と一旦接触するとドレッシングから浸出され得るため、ドレッシングの有効性は限られており、活性物質が周囲の組織に炎症または損傷を与える問題が生じ得る。
【０００９】
それゆえに、抗細菌剤がドレッシングから容易に放出されることがない、または抗細菌剤の放出が治療される被験体に有害とならない、抗菌性ドレッシングの提供が望まれる。
【００１０】
ＷＯ 03/093462は、バクテリオファージのようなウイルスを、ウイルスがなお感染力を保持するように基質に固定化する方法を開示している。
【００１１】
バクテリオファージを、その安定性が増強されかつ抗菌活性が保持されるように、汚染された領域や環境に導入する手段を提供することは、本発明の目的に含まれる。これは、感染した創傷を含み、表面病変から深創傷環境にまで及ぶ。
【００１２】
それとは別に、植物の細菌感染は、発芽、成長、および／または収穫高の減少を起こし得る。そうした感染を治療もしくは予防することが望まれているが、そうすることに対するアプローチは、現在、植物の成長に影響する別の要因に悪影響を及ぼすリスクを有する。
【００１３】
本発明のもう一つの目的は、植物の細菌感染に対処すること、ならびに本発明により処理された植物材料およびその使用を提供することである。
【図面の簡単な説明】
【００１４】
【図１】図１は、創傷ドレッシングの概略図を示す。創傷ドレッシングには、ＬＶＣＣ（バクテリオファージが単独または組み合わせで付着した１またはそれ以上のフィラメントまたはストリップとして）が付加される。
【図２ａ】図２ａは、ＬＶＣＣを取り込んだドレッシングの概略図を示す。
【図２ｂ】図２ｂは、ＬＶＣＣを取り込んだドレッシングの概略図を示す。
【図３】図３は、多数のバクテリオファージを同定可能なパターンで有するドレッシングの概略図を示す。
【図４ａ】図４ａは、通常またはバクテリオファージで処理したＬＶＣＣを使用して、５％の豚胃ムチンに懸濁した７０μｌの１×１０５ｃｆｕ／ｍｌ  Ｅ１５を感染させた深創傷を持つ動物の創傷統計を示す（術後７日目）。
【図４ｂ】図４ｂは、深創傷を持つ動物の細菌量を示す。深創傷には、５％の豚胃ムチンに懸濁された７０μｌの１×１０５ｃｆｕ／ｍｌ  Ｅ１５を感染させ、通常またはバクテリオファージで処理したＬＶＣＣを手術後７日目に使用した。
【図５】図５は、感染創傷への挿入後１４日目のラットから回収した縫合糸に固定化されたバクテリオファージによるMRSAの除去を示す。
【図６ａ】図６ａは、乾燥に対するＬＶＣＣにより付与される安定性を示す。
【図６ｂ】図６ｂは、紫外線照射に対するＬＶＣＣにより付与される安定性を示す。
【図６ｃ】図６ｃは、温度に対するＬＶＣＣにより付与される安定性を示す。
【図７】図７は、土壌における固定化されたバクテリオファージの生残を示す。
【図８】図８は、２つのバクテリオファージを有するＬＶＣＣのおのおのがそれらのバクテリオファージの一方に感染性の２つの細菌種への暴露を示す図である。
【図９】図９は、感染した対照区の創傷部位の１４日目の側面の外側を示す図である。
【図１０】図１０は、感染した対照区の創傷部位の１４日目の背面の内側を示す図である。
【図１１】図１１は、本発明のフィラメントで処置された創傷部位の１４日目の側面の外側を示す図である。
【図１２】図１２は、図１１の部位の背面の内部を示す図である。１４日目の傍脊柱筋内部の腫れ上がりの減少および膿の生成の減少を示している。
【図１３】図１３は、トマト発芽種子（対照区）を示す。
【図１４】図１４は、本発明に従い、種子表面にファージを固定化したトマト発芽種子を示す。
【図１５】図１５は、コロナ放電により処理した（がファージ無しの）トマト発芽種子を示す。
【図１６】図１６は、遊離のファージで処理したトマトの発芽種子を示す。
【図１７】図１７は、本発明に従うセルロース粒子周囲の細菌の除去を示す。
【発明を実施するための形態】
【００１５】
第１の局面では、本発明は、生ウイルス（例えばバクテリオファージ）を所望の場所またはその内部（例えば傷またはその内部）に提供するデバイスを提供し、該デバイスは、生ウイルスキャリア複合体（ＬＶＣＣ）として定義され、キャリア基質に付着した生ウイルスを含む。このようなＬＶＣＣは、ウイルスの生物学的作用が、治療上または他の抗菌面の利益を伝えることが有利な状況において使用され得る。典型的には、このことは、ウイルスがそれらの生物学的特性を保持していることを必要とし、バクテリオファージの場合は、細菌細胞を標的にし、感染し、破壊する能力を保持することが必要である。ウイルスは、創傷の感染の原因となる細菌を標的とするバクテリオファージであり得る。本発明において、それらは、感染または汚染された環境においてそれらの生物学的特性が維持されるように、キャリア基質材料の表面に付着されている。
【００１６】
キャリア表面は、例えば、フィラメント状、平面的な（シート）材料（例えばストリップとして）により、または、粒子および／またはビーズの表面により提供され得、それは、ウイルスの生存性が保持されるようなウイルスの付着および固定化を可能にするのに十分である。
【００１７】
ＬＶＣＣは、付着した生ウイルスの有益な特性が必要に応じて提供および送達されるように、深創傷内にまたは別の関連部位に、単独または組み合わせで提供され得る。キャリア／基質は任意の材料であり得、生存性の持続と、ＬＶＣＣとしての適用に適した抗菌特性の維持とを同時に行いつつ、ウイルスがその上に固定化され得る。
【００１８】
本発明の組成物は、(i)フィラメント、(ii)平面材料、ならびに(iii)粒子および／またはビーズから選択されるキャリアと、キャリアに共有結合的に付着しているバクテリオファージとを含み得、当該バクテリオファージは感染力を保持している。
【００１９】
キャリアは、適切には、生分解性および／または生体適合性である。それとは別に、キャリアは、組織適合性がありインサイチュで吸収され得るものであり得る。
【００２０】
組成物の使用は深創傷での細菌感染の治療または予防にあり、深創傷とは、体の露出面上にない創傷を意味する。深創傷は、内部の創傷であり得、体表面上で縫合糸により閉鎖された内部の創傷を含む。典型的には、本発明の組成物は、深創傷の内部に設置され、この創傷は次いで閉鎖される。このように、本発明のフィラメントは、深創傷の位置に設置されて、その内部に残され得る。以下により詳細に記載する本発明の１つの実施形態では、バクテリオファージが付着しているフィラメントを深創傷に設置することにより、対照に比較して創傷が良く治癒されるという結果をもたらした。
【００２１】
有利なことに、組成物の材料は、生分解性および／または生体適合性材料であるか、または組織適合性でありかつインサイチュで吸収され得るポリマーもしくは他の材料製である。付着したウイルス（バクテリオファージのような）の抗菌作用または他の関連した特性が実質的に影響を受けないように、分解が経時的に起こり得る。
【００２２】
本発明の１つの実施形態では、ＬＶＣＣは、様々な外科用インプラント、例えば、人工装具、ステント、カテーテル、外科的修復のための膜もしくは骨格材、または再生目的のための骨格もしくは骨組み、縫合アンカー、縫合糸および他の創傷閉鎖デバイス（例えば、接着ストリップまたはステープル）、シャント、カテーテル、留置カニューレ、チューブおよび同様なデバイスならびにそれらの部品等に付着される。それらは、表面上に付着されてもよく、または様々な非生分解性ポリマー、生分解性ポリマー、コラーゲン、ケラチン、セルロース、綿、絹および他の同様な物質から単独でもしくは組合せで構成される骨格もしくは支持材に組み込まれてもよい（下記参照）。
【００２３】
本発明は、ウイルスを急速に変性させるような好ましくない環境（例えば、感染または汚染領域）において、ウイルスの生存性および生物学的特性（バクテリオファージについては殺菌特性を含む）が持続され、延長されるように、ウイルスをキャリア基質材料の表面に固定化することによってＬＶＣＣを構築することについて記載している。以下に、ＬＶＣＣにおいてキャリア基質として用いられるのに適している、単独でもしくは組み合わせてもしくは混合物としてもしくは共重合ポリマーとして使用される材料の例を列挙する。
【００２４】
適したポリマー種類としては、バイオポリマー、導電性ポリマー、コポリマー、フッ化ポリマー、ポリテルペン、フェノール樹脂、ポリ酸無水物、ポリエステル、ポリオレフィン（ポリアルケン）、ゴム、シリコーン、シリコーンゴム、超吸収ポリマー、合成ゴム、ビニルポリマー、核酸、ポリペプチド、糖、ポリ乳酸（ＰＬＡ）、ポリ-３-ヒロドキシブチレート、無機ポリマー、ホモアトミックポリマー、ポリシラン、ポリゲルマン、ポリスタンナン、ヘテロアトミックポリマー、ポリボラジレン、ポリシロキサン、ポリジメチルシロキサン（ＰＤＭＳ）、ポリメチルヒドロシロキサン（ＰＭＨＳ）、およびポリジフェニルシロキサン、パーヒドリドポリシラザン（ＰＨＰＳ）のようなポリシラザン、、ポリフォスファゼン、ポリチアジル、ポリスルフィド、超高分子量ポリエチレン（ＵＨＭＷＰＥ）、一般プラスチック、ポリプロピレンポリエステル（ＰＥＳ）、ポリエチレンテレフタレート（ＰＥＴ）、ポリエチレン（ＰＥ）、高密度ポリエチレン、ポリ塩化ビニル（ＰＶＣ）、ポリ塩化ビニリデン（ＰＶＤＣ）（サラン）、低密度ポリエチレン（ＬＤＰＥ）、ポリプロピレン（ＰＰ）、ポリスチレン（ＰＳ）、ハイインパクトポリスチレン（ＨＩＰＳ）、ポリアミド（ＰＡ）（ナイロン）、アクリロニトリル−ブタジエン−スチレン（ＡＢＳ）、ポリカーボネート（ＰＣ）、ポリカーボネート／アクリロニトリル−ブタジエン−スチレン（ＰＣ／ＡＢＳ）、ポリウレタン（ＰＵ）、特別目的プラスチック、モノマーおよびポリマー（生分解性／再吸収性材料を含む）、エチレンメチルアクリレート、メラミンホルムアルデヒド（ＭＦ）、プラスターチ材料、フェノリクス（ＰＦ）または（フェノールホルムアルデヒド）、ポリカプロラクトン（ＰＣＬ）、ポリジオキサノン（ＰＤＯまたはＰＤＳ）、ポリエーテルエーテルケトン（ＰＥＥＫ）、ポリエテリミド（ＰＥＩ）（ウルテム）、ポリグリコール酸（ＰＧＡ）、ポリヒドロキシブチレート（ＰＨＢ）、ポリ乳酸（ＰＬＡ）Ｄ体およびＬ体立体異性体、ポリラクチドポリ−Ｄ-Ｌ-ポリ乳酸共重合体-ポリグリコール酸（ＰＤＬＬＡ−ｃｏ−ＰＧＡ）、ポリＬ−乳酸（ＰＬＬＡ）、ポリメチルメタクリレート（ＰＭＭＡ）、ポリテトラフルオロエチレン（ＰＴＦＥ）、ポリトリメチレンカーボネート（ＴＭＣ）、ポリカーボネート、ポリ酸無水物、ポリ−（イミド無水物）およびポリオルトエステルが挙げられる。
【００２５】
他の材料としては、ウレアホルムアルデヒド（ＵＦ）、リン酸三カルシウム（ＴＣＰ）、天然材料、木、セラミックス、岩、砂および岩；角およびケラチン；骨；皮；紙；絹；綿；麻；ガラス；鉄および非鉄金属および合金が挙げられる。
【００２６】
使用され得る専門材料としては、加工セルロース（繊維または布として（カルボキシメチル化された））、コラーゲン、ヒアルロン酸、ハイドロコロイド、ハイドロゲル、フィルム、泡、アルギン酸塩、エチルメチルアクリレート、専門ガラス（生分解性のおよび非生分解性の）、専門ナイロン、多糖が挙げられる。
【００２７】
本発明の別の実施形態では、ウイルス（例えばバクテリオファージ）は、デバイスを含む材料の表面に直接固定化され得る。要するに、デバイスが形成される材料はＬＶＣＣキャリア材料となる。例えば、外科用縫合糸にバクテリオファージをすぐに固定化することは、二重の目的、すなわち強力な抗細菌能力を送達しつつ創傷を閉鎖し得るＬＶＣＣを提供する。縫合糸は、生分解性ポリマーを含む多様な種類からなるものであり得る。
【００２８】
本発明のさらなる実施形態では、ＬＶＣＣ（バクテリオファージが単独でまたは組み合わせて付着されているフィラメントもしくはストリップとして）が創傷ドレッシングに加えられても、および／または創傷ドレッシングの真下に置かれてもよく、または他のタイプのドレッシングまたはデバイスと共に用いられ得、これは特定の利点を伝え得るが、ＬＶＣＣの同時適用の結果として増幅された抗菌機能を受ける。
【００２９】
本発明のさらなる実施形態は、ＬＶＣＣを創傷ドレッシングの一部として組み込むことを含む。このことは、ドレッシングの一体部となるように整えられた独立した（ＬＶＣＣ）構成要素としてでもよく、またはドレッシングからは区別されるが、抗菌機能を提供するためにドレッシングの内部および／または真下に導入されてもよい。あるいは、キャリア材料がドレッシングの一部であり得る。ＬＶＣＣまたはキャリア材料は下記のような、種々の様式で整えられ得るが、これに制限されると解釈されるべきではない。
【００３０】
本発明の特定の創傷ドレッシングは、バクテリオファージが付着した複数のフィラメントを含み、第１のバクテリオファージが付着している第１のフィラメントおよび第２のバクテリオファージが付着している第２のフィラメントが少なくとも存在し、該第１および該第２のバクテリオファージが異なった株または種の細菌に感染する。
【００３１】
第１のフィラメントと第２のフィラメントとは異なった色とし得る。このことは、ドレッシングの色コードを提供する。ゆえに、使用の際、色は、所与のドレッシングにより治療し得るまたは予防し得る疾患を識別するために使用され、その色は、そのフィラメントまたはドレッシングの一部に付着したファージによりどの細菌特異性が呈示されているかを一貫して示す。特定の例では、一つの色のフィラメントは、スタフィロユッカス・アウレウスに感染するファージを付着し、第２の色のフィラメントはクロストリジウム・ディフィシルに感染するファージを付着している。
【００３２】
典型的には、創傷ドレッシングまたは包帯は、創傷の保護の提供および／または創傷液の吸収のためのドレッシング層と、創傷接触面とを含み、この接触面の少なくとも一部が、固定化されたウイルスを含み得る。
【００３３】
接触面は、ドレッシング層の一部であり得るか、またはさらなる構成要素の一部であり得、第１の材料を囲むかもしくはその上に重なるカバーの一部である。１つの実施形態では、接触面は、液を通過させ、ドレッシング層に進入させるように浸透性であり得る。創傷接触面は、一般的に、治療される傷と接触して置かれ得る材料の部分であるが、接触は直接的でなくてもよい。それゆえ、例えば、さらなる透過性基質が、創傷とウイルスが固定化されている接触面との間に置かれてもよい。このように、創傷液（これは微生物を含み得る）は透過性基質を透過して、接触面に存在する固定化されたウイルスと接触することができる。
【００３４】
確かに、接触面は、ドレッシング中に形成された袋などの中に入れられるように設計された構成要素として、ＬＶＣＣを組み込み得る。このように、種々の固定化されたウイルスを含む種々の挿入物が提供され得、治療される創傷の種類によって、望ましい挿入物が選択されドレッシング中に置かれ得る。確かに、どのタイプの微生物が存在し得るかを解明するために創傷が試験され得、そのような微生物を標的にするのに適切な挿入物が選択され得る。あるいは、一般の広スペクトルの抗菌作用を提供するいくつかのバクテリオファージから構成されたＬＶＣＣが、用いられてもよい。
【００３５】
１つの実施形態では、創傷ドレッシングは３つの構成要素を含み得る：外側カバーは、例えばバンデージまたは粘着剤のいずれかによって、ドレッシングを皮膚に付着させる；ドレッシング中間層は、衝撃および摩耗に対する緩衝材として働き、かつ治癒過程において助けとなる機能を提供し得、その一例は吸収リント布であり得、これは、長年にわたり基本的なドレッシング形式において用いられてきた材料である；内膜は、接触面を形成し、傷と接触する。これは、例えば、シートやメッシュに織られ、かつドレッシングが容易に取り除けるような物質、おそらくコートされた合成高分子を含み得る。
【００３６】
バクテリオファージを取り込んだドレッシングの単純な例では、ファージが、内層の表面（接触面）に付着され得るか、または、その内層が、ドレッシングとは区別されるが創傷との接触がもたらされるＬＶＣＣとして導入され得る。一般的な位置決めは、創傷の細菌感染が確立する／し得る領域にファージを設置する役割を果たし、そして初期感染バクテリオファージ事象が起こり得る可能性を最適化し、その後細菌破壊を増幅するサイクルを開始させる。
【００３７】
１つの実施形態では、ドレッシングまたはＬＶＣＣは、細菌の１つのタイプに対し活性であるように考案されてもよく、よって、細菌の１つのタイプに対し活性であるファージ（またはファージら）の固定化を含み得る。
【００３８】
他の実施形態では、接触面の全領域にわたって固定化されたファージを含み得る。しかしながら、いくつかの例では、これは、固定化または製造のために不必要であるか、最も経済的な方法ではないことが判明し得る。他の形式は利用可能であり得る。例えば、ファージは、接触面の定められた領域にのみ付着され得る。これは、表面の一部のみの活性化および付着工程により達成され得、この付着工程は、ファージを表面すべてにアクセス可能とするが、固定化は活性化領域でのみ起こる。あるいは、一種のプリント技術によって、活性化領域のみにファージを向かわせ得る。これは、付着プロセスおよびその後の適切な表面への「プリント」の前にファージが活性化される配置（上述の逆）を必要とし得る。あるいは、ファージおよび表面は同時に活性化され得るか、または、複数のファージを保有する場合は、異なる時に活性化され得、複数ファージ保有型ドレッシングを製造する別の方法を提供する。
【００３９】
上記のすべては、適切な緩衝剤中に含まれるウイルス／ファージを含み得、それは、製品の識別のため、またはドレッシングの取り換えが必要か否かのシグナルを提供するための指標として、染料を含んでも含まなくてもよい。あるいは、指標としての染料は、マーカーとして、または特定のウイルス／ファージの付着領域を区別するために別に利用され得る。染料はまた、ウイルス／ファージを特定の表面に付着させるリンカーを形成し得る。
【００４０】
加えて、ウイルス／バクテリオファージは特定の領域に付着され、様々なパターンに適用され、それにより製造に要求されるウイルス／ファージの量を減らし得る。さらに、パターニングおよび／またはカラーマーカーがＬＶＣＣまたはドレッシングの識別に用いられ得る。さらに、ウイルス／ファージの種類に従ってあらかじめ着色された領域にウイルス／ファージが付着され得る。あるいは、それらは、着色されていない領域に付着されてもよい。
【００４１】
変型では、次の微生物の侵入を防ぐために上記のウイルス／ファージがドレッシングの表面に付着され得るか、または従来型の抗細菌剤（殺菌剤または抗生物質）を表面に用いてもよい。したがって、ファージは、単独で、または抗細菌化合物（殺菌剤、抗生物質またはその他）および／または酵素（これらもまた、付着したファージの効果を増加させ、その作用を助ける特定目的で、例えばバイオフィルムを除去する、またはファージとともに抗菌バリアを提供するために適用されることにより固定化され得る）と組み合わせて、ドレッシングやＬＶＣＣに適用され得る。このように、ドレッシングおよびＬＶＣＣは、１種類より多く抗菌剤を含んでもよく、いくつかのウイルス／ファージを従来の抗菌性化学物質または酵素のようないくつかの他の物質と結びついて含んでもよい。確かに、そのような組み合わせは、相乗的に作用し得る。
【００４２】
選択肢は、上述したように、ファージをＬＶＣＣ繊維またはストランドに付着させることを含み、繊維またはストランドは着色されていてもよく（これも上述したように）、そして表面に付着され得るか、または表面内に織り合わされ得るか、またはその両方であり得る。繊維は、ドレッシングまたはＬＶＣＣのタイプを表すために種々のパターンで織り込まれ得るか、または付着され得る。その繊維は、ファージを、活性／接触面上／中への組み込みの前または後に付着させてもよい。さらに、ＬＶＣＣ繊維は、用いられるファージに従って着色されてもよく、または交互に、着色されていないが、ドレッシングの接触面の着色印刷された領域またはそのドレッシングの他の領域に織り込まれてもよい。
【００４３】
あるいは、繊維のＬＶＣＣは、着色されているかまたは着色されていない２本以上のストランドを含み、１本のストランドもしくは両方にウイルス／ファージを付着させ（複数ファージドレッシングの場合について以下に述べる）、そしてドレッシング内に付着させるか、またはおそらく完全に統合されたものであってもよい。
【００４４】
他の選択は、標的微生物へのアクセスが創傷に隣接して位置する透過性もしくはメッシュ状の膜を通して起こるように、上記の方法のいずれかに従って、ドレッシングの中間層への付着を通じてウイルス／ファージをドレッシング中に組み込むことである。
【００４５】
追加の実施形態は、種々のキャリア物質で構成される粒子および／またはビーズに付着しているファージで構成されるＬＶＣＣの組み込みを含み得る。このことは、粒子／ビーズへの直接的な付着、または多数の小さい粒子もしくは微細なストリップを生成するように細かく分割され得るシートもしくは平面上の表面への固定化を通じて、達成され得る。粒子はエアロゾルまたはネブライザーを通じて投与され得、ドレッシングもしくはＬＶＣＣに、または必要な領域上／中に直接、スプレーまたは印刷され得る。
【００４６】
加えて、バクテリオファージは、２段階の活性化プロセスを通して様々な表面に付着され得、それにより、ＬＶＣＣを生成するためにファージがフィラメント、粒子またはビーズに固定化される。第２工程では、ＬＶＣＣ自体が、前述したようなデバイスの表面に固定化／付着される。あるいは、ファージが固定化され得る材料がデバイス（人工器官のような）に不可逆的に結合された後第２の活性化工程が続き、デバイスに結合しているキャリア基質にファージを固定化する。
【００４７】
多数の微生物／細菌に対して活性であるＬＶＣＣもしくはドレッシングの構築は可能である。１つのアプローチは、いくつかの異なるファージの種類を含む不均一の混合物を利用することを含み得、それは、接触面全体にわたってまたは上述したように特定の場所で固定化するための、大量のファージ源として使用される。
【００４８】
もう一つのアプローチは、それぞれ均一な溶液中に区別して別々に保持した特定のファージを含み得、これらの溶液が並行して活性化されて投与される（２（もしくは多）ジェット印刷タイプ）。この実施形態によると、ウイルス／ファージは、それらが印刷ジェットを退いて移動するより前もしくは移動と同時に、活性化され、固定化の準備ができている。
【００４９】
もう一つの実施形態は、特定のファージタイプを既定の順序でＬＶＣＣもしくはドレッシング接触面に、いくつかの表面活性化工程を経て固定化することを含む。このアプローチは、逐次的活性化および付着工程がそれ以前に固定化されたファージに影響を与えないように、最初の固定化プロセス後に残っている結合部位を用いる。
【００５０】
あるいは、ファージは、必要とされる治療の種類によって個々にまたは組合せで、ドレッシング接触面の特定の領域にその特定領域の逐次的活性化を通じて、付着されてもよい。領域は色でコードされ得る。
【００５１】
さらに、特定のウイルス／ファージが、個々の繊維もしくは微細なストリップで構成されるＬＶＣＣに付着されて、そして上述したように、ドレッシングの表面に付着もしくは織り込まれ得るか、または他のデバイスに付着され得る。繊維が、ウイルス／ファージをその上に既に固定化し得るか、または一旦組み込まれたウイルス／ファージを受容するように活性化され得るか、または活性化されたファージを単に受容し得る。
【００５２】
繊維は、ウイルス／ファージの種類に従って色でコードされ、そして２以上のフィラメントで構成されるストランドにねじられ得る（床屋のポールのように）、次いで、ドレッシングまたは接触面に織りこまれ得るか付着され得る（またはその両方）。さらに、着色された指標ストリップが加えられ得（付着、織り込み、もしくは印刷）、それは、ドレッシングの取り換えの最適なタイミングを示すために時間が経つと色が変化する。
【００５３】
繊維もしくはストリップを組み込むよりむしろ、上記のすべては、ウイルス／ファージを付着しているかもしくは付着を許容する位置にあり、そしてそれ自体が、織り合わされた繊維で構成されてもよく、または両方の組合せでもよい平面ＬＶＣＣ材料（種々の形状の）のドレッシング表面‘パッチ’への組み込みもしくは付着によって達成され得る。
【００５４】
接触面、繊維またはストリップは、カラーマーカー等のインジケーターを含み得、それは使用者に付着しているウイルスの種類を知らせ、および／またはＬＶＣＣもしくはドレッシングの正しいポジショニングに役立つ。
【００５５】
固定化されたウイルスは、そのウイルスが緑色蛍光タンパク質等のようなマーカー蛋白質を発現させ得るように、微生物がウイルスに感染されたときにマーカー遺伝子が発現して、マーカー蛋白質が製造されるように、それ自体が改変されてもよい。これは順に検出され得、医師は傷に微生物が存在するという事実を警告される。次いで医師は、汚染部位に活性バクテリオファージ集団を保持するように適時ドレッシングを変え、微生物が傷にいなくなったことを示す色の変化がない状態が観察されるまで行い得る。これを容易にするため、ドレッシングは透明であるか、または部分的に透明であることが望ましく、それにより創傷表面での着色が観察できる。
【００５６】
創傷は、内部創傷、いくつかの組織層を含む創傷、皮膚層中の創傷、もしくは被験体の皮膚表面にある創傷であり得る。多くの種類の創傷が知られており、それらは外傷、手術、火傷、切り傷、擦り傷、潰瘍および床ずれで引き起こされるもの、および糖尿病、血行不良等で引き起こされる他の病変を含む。この用語はまた非常に幅広く使われており、体液を吸収して重篤な微生物感染が起こるのを予防するのが望ましいとされ得る他の適用を包含する。このような１つの適用は、タンポンのような女性の衛生用品であり、これは月経を吸収し、同時にトキシックショック症候群の発症を防ぐかまたは最小化する。それはまた、実際の術部を含み得、それゆえに、固定化されたファージは、吸収性材料（過剰な液を吸収するために術野内にしばしば置かれる）または保護材料（例えば使い捨て製品）に、抗菌特性をもたらし得る。
【００５７】
被験体は、飼育動物または家畜のような動物被験体であってもよいが、特にヒトであってもよい。
【００５８】
本発明の１つの実施形態は、固定化したウイルスを有する吸収性材料を含む、吸収性の医療用または衛生用製品を提供することであり、固定化したウイルスを吸収性材料にまたは吸収性材料の内部に付着、または吸収性材料を覆う透過性表面の少なくとも一部に付着している。そのような製品には、生理用ナプキン、タンポン、おむつ、スポンジ、および衛生ティッシュなどが含まれる。上記および他所に記載の吸収性材料は、セルロースもしくは綿、ヒドロゲルポリマー、カルボキシメチルセルロース、または他の適切な材料を含む天然もしくは合成の製品であり得る。
【００５９】
別の実施形態では、ＬＶＣＣは、微生物分解を受けやすい材料および製品の貯蔵、梱包、および輸送を助けるために用いられ得る。このことは、媒体もしくは梱包中に含有することによってであり得、または材料および製品の貯蔵を補助および促進するためであり得る。そのような材料は、器官、および移植予定の他の組織もしくは材料を含み得る。例として、角膜移植物があり得、これは使用前に貯蔵し運搬され、そして組織が使用不能になる微生物汚染および分解を受けやすい。
【００６０】
別の実施形態では、ＬＶＣＣは、消費用もしくは貯蔵された種子ストックとして使用さ
れる、果実、野菜、葉、茎、花、根、塊茎、苗、および種子を含む、幅広い植物材料に適
用される。本発明の実施形態に従って、種子が生存性を維持し、実質的にその表面がＬ
ＶＣＣのキャリア成分となるように、バクテリオファージは種子の表面に直接固定化され
る。そして、貯蔵、発芽、収穫、運搬および販売の間に発生する細菌性植物疾患と闘う手
段を提供する。
【００６１】
ゆえに、本発明は、バクテリオファージが付着された植物材料であって、該バクテリオ
ファージが感染力を保持している、植物材料を提供する。
【００６２】
異なった細菌に感染する複数のバクテリオファージが付着されてもよく、これはより広い活性スペクトルを与える。
【００６３】
適切な植物材料は、果実、野菜、葉、茎、花、根、塊茎、苗、および種子を含む。消費用種子（例えば動物もしくは鳥によるもの）は１つの例である。種子ストック（例えば播種前に貯蔵されたもの）は別の例である。
【００６４】
本発明の植物材料は、植物疾患、または、該植物材料を摂食する動物の疾患（例えば、消化管内での細菌感染）の予防または治療のために用いられ得る。
【００６５】
本発明の組成物の例は、本発明の植物材料（特に種子）を含む動物もしくは鳥用食品である。食品は、本発明の種子から作られるかまたは種子を含む、ケーキまたはペレット状であり得る。食品は、ファージを付着させるように処理されるケーキもしくはペレット状であり得る。この処理は例えば、食品をファージが共有結合的に付着した粒子の水溶液で処理し、次いで典型的には食品を乾燥して粒子を付着させることによる。あるいは、粒子を乾式調製して食品と合わせ得る。
【００６６】
一般的に、バクテリオファージは植物材料に間接的に付着され得る。例えば、植物疾患に対抗するためにファージを送達する方法を提供する粒子（群）に付着される。例えば、ファージが付着した粒子の溶液を植物材料上にスプレーし、乾燥させてそれらをくっつけ得る。本発明の実施形態では、そのような方法によって、そのような粒子をジャガイモ塊茎に付着させる。ファージは生存性を保持し、塊茎の疾患を予防するのに有効である。
【００６７】
ゆえに、本発明は、バクテリオファージが共有結合で付着された粒子の水性製剤を植物材料と組み合わせる工程、およびためにこの組合せを乾燥させて粒子を植物原料に付着させる工程を含む方法を包含する。あるいは、例えば植物材料にまぶすといったように、粒子の乾式調製が植物材料と組み合わされ得る。
【００６８】
下により詳しく記載された、本発明の特定の実施形態においては、バクテリオファージをトマト種子に共有結合で付着させた。他の実施形態におけるテストにより、この様式（トマト種子表面で見られたように）でセルロースに付着しているファージが生存性を保持していたことが確認された。トマト種子を一例として使用した。他の種子も使用でき、小さな種子（タバコ）から大きな種子（トウモロコシ）まで同様の結果が得られた。種子の化学的およびコロナ活性化により、種皮表面の一時的な修飾がなされる。この種皮表面は、様々な量のタンパク質および脂肪酸とともにセルロースまたはペクチンに関連するポリマーを含む。そのような全ての材料は、コロナ電場にさらされると、反応性のフリーラジカル種を生み出す。これは、バクテリオファージのタンパク質外皮または他の存在と反応して、崩壊し、数秒のうちに安定な共有結合を与える。この結果は、コロナ活性化は表面現象であることを示し、種子の生存性は、発芽によりテストされたところでは、悪影響はなかった。実際、コロナ処理をしていないものに比べ発芽は改善された。
【００６９】
他の植物材料（例えば、葉、茎、花、根）をコロナ電場で処理した場合にも、同様の効果が見られる。活性化および反応は、クチクラ表面で起こり、結果としてバクテリオファージが付着する。植物材料の先端とコロナ電極との間で火花が生じるときにのみ、植物への損傷が起こる。したがって、植物材料は、直接付着（例えば、共有結合で）付着したファージを有する保持できる。植物材料はまた、ファージが共有結合で付着した粒子と結合させ、または組み合わせることもできる。ファージを有する粒子は植物材料の上で乾燥させ得る。この粒子は、そうでなければ、他の植物材料と結合することができる。
【００７０】
本発明のさらに特定の実施形態によれば、ジャガイモ塊茎を固定化されたファージで処理する。詳細には、ファージをセルロース粒子の表面に付着させ、これらを、この粒子が付着できるように、この粒子の溶液を塊茎にスプレーし、次いでこの塊茎を乾燥させることにより、ジャガイモの表面に固定化させる。ジャガイモ植物の生長は、この処理により、驚くほど改善される。感染の発生が減少し、処理した植物の生長も顕著に良くなる。
【００７１】
ある実施形態では、ＬＶＣＣの種子ベースの形態は、消化管の細菌感染のような細菌感染に感受性である種子摂食生物の治療のために、バクテリオファージを送達するために用いられ得る。同様に、ＬＶＣＣは、消化性疾患および他の病気の治療のために他の食料品に適用され得る。あるいは、ＬＶＣＣは、粗挽きの穀の代わりに用いて、鳥類の病気の治療のために用いられ得る。このように、病原細菌に対抗するバクテリオファージは、動物の細菌病の治療のために、消化管に投与され得る。
【００７２】
ＬＶＣＣはまた、抗細菌治療を下部消化管に送達するために、直腸投与され得る。
【００７３】
さらに他の実施形態では、ＬＶＣＣは全身感染性のバクテリオファージ治療を動物に送達するために用いられ得る。これには、例えば抗細菌作用を供給するために、循環系またはリンパ系に、または直接脳脊髄液またはこれが望ましい他の体腔または器官に注射することによる。あるいは、ＬＶＣＣは、気道の感染に対抗するために、吸入によるバクテリオファージまたは他のウイルスの送達を可能にし得る。
【００７４】
固定化は、例えば、化学結合（共有結合、イオン結合、水素結合またはファンデルワールス結合）による特定の物理的固定化に関連するものとして理解される。それゆえ固定化は、他の受動的なウイルス突起の基質に対する結合とは区別される。さらに、固定化は、ウイルスが細胞への感染能を保持するようなものである。それゆえ、固定化は、所望の標的細胞にウイルスがなお感染できることを条件として、頭部またはカプシドタンパク質またはウイルスの他の表面タンパク質を介して起こり得る。より好ましくは、バクテリオファージ／ウイルスは、その頭部の基またはヌクレオカプシドを介して基質に固定化される。固定化は、バクテリオファージ／ウイルスを添加し、連結させる前に基質を活性化することにより行われる。共有結合での付着が付着のの好ましい手段である。
【００７５】
本発明の用語「ウイルス」は、２本鎖または１本鎖のＲＮＡまたはＤＮＡウイルスを含む。細菌に感染し、一般的にバクテリオファージと言われるものも含む。より好ましい実施形態では、ウイルスはバクテリオファージである。
【００７６】
多くの異なるタイプのバクテリオファージ／ウイルスが当該分野において知られている。適切なバクテリオファージ／ウイルスを、対処すべき細菌問題に応じて選択し得る。例えば、創傷治療のために、臨床医は、特定の傷に感染しやすい細菌／原虫／カビの共通のタイプに気づいていると思われる。創傷ドレッシングは特定の傷に感染し得る細菌／原虫／カビに感染してその増殖を最小化させるように設計される１またはそれ以上の異なるタイプのバクテリオファージ／ウイルスを含んでいても良い。
【００７７】
潜在的な創傷の病原体の例としては、ストレプトコッカス、例えば、ストレプトコッカス・ピロジェネス；エンテロコッカス、例えば、エンテロコッカス・ファエカリス；スタフィロコッカス、例えば、スタフィロコッカス・アウレウス、特にメチシリン耐性のスタフィロコッカス・アウレウス（ＭＲＳＡ）；シュードモナス・エルギノーサ；エンテロバクター；大腸菌；クレブシエラ種；プロテウス種；バクテロイデス属；クロストリジウム；カンディダのような酵母；およびアスペルギルスが挙げられる。
【００７８】
本発明の用語「キャリア／基質」は、ウイルスが固定化され得る、あらゆる固相材料を意味すると理解される。例えば、前記キャリアは、例えば、複雑なバクテリオファージのようなウイルスの頭部基特異的結合を可能にするように有利に活性化され得る材料であり得る。前記基質は、多数の形態を取り得、例えば、ナイロンおよび他の類似のポリマー、反応基（例えば、アミノまたはカルボキシ表面基）を有するポリマー、セルロースまたは他のヒドロキシル含有ポリマー、ポリスチレンまたは他の類似のポリマーである。基質はまた、多数の共有結合モノマーサブユニットから構成される、および単一の繰り返しモノマーまたはモノマー種の組合せから構成される長鎖のマクロ分子のようなポリマーであり得る。典型的には、基質には、モノマーまたはポリマーの形態にて、単一または組み合わせまたはコポリマーとしての天然の、合成、または生物合成の生体吸収性／生体再吸収性材料が含まれる。例えば、ポリグリコール酸（ＰＧＡ）、ポリ乳酸エナンチオマー（ＰＬＡ）、およびポリ―Ｄ−Ｌ−乳酸コポリマーポリグリコール酸（ＰＤＬＬＡ−ｃｏ−ＰＧＡ）、ポリジオキサノン（ＰＤＯ）およびポリトリメチレンーカーボネート（ＴＭＣ）、ポリエーテルエーテルケトン（ＰＥＥＫ）およびそれらの組み合わせおよび複合物が挙げられる。基質にはまた、プラスチックまたは他の前述のポリマーまたはビーズまたは粒子が含まれる。それらは磁気性であり得るか、またはアルギン酸のような生物材料、ガラスまたはガラス繊維、ステンレス鋼、シリコーン、絹、コラーゲン、またはセラミック材料から構成されていてもよい。より好ましくは、前記基質は、治療または治療補助における医療デバイスに通常使われる材料から作られる。例えば、縫合糸として通常使用される材料、およびまた、開放創傷を手当するために使用されるリントまたはガーゼ材。ある実施形態においては、基質は、生分解性／生体再吸収性であってもよく、それゆえ、体液と接触させて配した際に、経時的に生体内で分解し再吸収され得る。ドレッシング層は、例えばヒドロゲル材料から形成されるものであってもよく、これにウイルスが付着される。これはまた、創傷からの液体を吸収して、そのような液体を固定化されたウイルスと接触させる役割を果たし得る。
【００７９】
本発明の用語「活性化された／活性化する／活性化」は、基質および／またはウイルスを、前記基質／ウイルスを様々な化学基と反応させることにより活性化することを意味すると理解される（バクテリオファージの頭部またはカプシド表面のタンパク質または基のような表面化学は、ウイルスに結合できるままとする）。あるいは、固定化は、電気的活性化または他の電気的放電、電場または電界効果（例えば、プラズマ）、マイクロ波、光電効果、高周波場効果、ガンマ線および他のエネルギー放射などにより達成されてもよい。これは、キャリア基質またはウイルスまたは基質とウイルスとの両方に適用されてもよい。
【００８０】
基質の活性化はまた、例えば、酸、好ましくはＨＣｌによる予備的加水分解により達成されてもよい。予備的加水分解に続いて、酸を除去するために水とアルカリによる洗浄工程が行われる。好ましくは、前記アルカリは、重炭酸ナトリウムである。頭部基を介したウイルス（例えば、バクテリオファージ）の結合が重要である。例えば、複雑なバクテリオファージの場合、頭部基を介した結合により、尾部基（細菌特異的な認識に必要である）は、宿主細菌細胞への感染、すなわち、結合および浸透を自由にすることができる。宿主細胞のこの感染メカニズムは、細菌のみに感染して増殖するウイルス以外の他の多くのウイルスについても同様であると理解される。複数のウイルス（例えば、様々な株特異的バクテリオファージ）が、常に基質に固定化され得る。
【００８１】
基質に対するウイルスの結合は、ウイルス外皮タンパク質と基質との間の共有結合のような結合の形成の結果であり、例えば、ペプチド上のアミノ基を介し、例えばペプチド結合である。このプロセスを助ける「結合剤」は、使用される基質に応じて変わる。例えば、基質ナイロン、またはアミノ基またはカルボキシ表面基を有する他のポリマーに結合させるために、結合剤カルボジイミドまたはグルタルアルデヒドが使用され得る。
【００８２】
基質セルロースまたは他のヒドロキシ基含有ポリマーに結合させるために、結合剤ビニルスルフォニルエチレンエーテルまたはトリアジンが用いられ得る。
【００８３】
ウイルスを基質ポリエテンまたは他の類似のポリマーまたは他の多くのタイプのポリマーと結合させるための結合剤には、コロナ放電または過マンガン酸塩酸化が含まれる。
【００８４】
コロナ放電技術を用いて、遊離のウイルスを変性させる環境条件下でもウイルス抗細菌活性が長期間持続されるように、広い範囲の基質にウイルスを固定化することができることが証明された。本明細書中、包括的なリストが上に示され、以下のような基質を含む：ナイロンおよび関連ポリマー、ダクロン、ポリスチレン、プラスチックおよび関連ポリマ、天然および合成ゴム、単一のまたは組み合わせまたはコポリマーとして生体吸収性／生体再吸収性モノマー、ポリマーおよびコポリマー（例えばポリグリコール酸（ＰＧＡ）、ポリ乳酸エナンチオマー（ＰＬＡ）およびポリＤ−Ｌ−乳酸コポリマーポリグリコール酸（ＰＤＬＬ−ｃｏ−ＰＧＡ）、ポリジオキサノンおよびポリトリメチレンカーボネート（ＴＭＣ）、ポリエーテルエーテルケトン（ＰＥＥＫ）ならびにそれらの組み合わせおよび複合物）、シリコン、セラミックス、ガラスおよびガラス繊維、金属（鋼鉄、アルミニウムおよび金属合金を含む）、コラーゲン、ケラチン、アクリルおよび様々な塗料、骨、絹、セルロース（紙、綿、リント、テープおよびガーゼ）、レーヨン、天然および合成スポンジ、アルギン酸、ヒアルロン酸、ゲル表面（例えばヒドロゲル）。
【００８５】
一般的に言って、バクテリオファージを基質に結合させるための結合剤は以下を含む：S−アセチルメルカプトコハク酸無水物、S−アセチルチオグリコール酸Ｎ−ヒドロキシスクシンイミドエステル；アジピン酸ジヒドラジド；４−アジド安息香酸Ｎ−ヒドロキシスクシンイミドエステル；Ｎ−(5−アジド−２−ニトロベンジルオキシル)スクシンイミド；６−（４−アジド−２−ニトロフェニルアミノ）ヘキサン酸Ｎ−ヒドロキシスクシンイミドエステル；ｐ−アジドフェンアシル臭化物；４−アジドサリチル酸Ｎ−ヒドロキシスクシンイミドエステル；ブロモ酢酸Ｎ−ヒドロキシスクシンイミドエステル；１，４−ブタンジオールジグリシジルエーテル；２−ジアゾ−３，３，３−トリフルオロプロピオン酸ｐ−ニトロフェニルエステル；ジエチルマロニミデート；４，４’ジイソチオシアナトスチルベン−２、２’ −ジスルホン酸；ジメチルアジピミデート；ジメチル３，３’ジチオビスプロピオンイミデート；ジメチルピメリミデート；ジメチルスベリミデート；４，４’ −ジチオビスフェニルアジド；ジチオビス（プロピオン酸Ｎ−ヒドロキシスクシンイミドエステル）；エチレングリコールビス−（コハク酸Ｎ−ヒドロキシスクシンイミドエステル）；４−フルオロ−３−ニトロフェニルアジド；ｐ−フォルミル安息香酸Ｎ−ヒドロキシスクシンイミドエステル；グルタルアルデヒド；２−イミノチオラン；６−（ヨードアセトアミド）カプロン酸Ｎ−ヒドロキシスクシンイミドエステル；ヨード酢酸Ｎ−ヒドロキシスクシンイミドエステル；３−マレイミド酢酸Ｎ−ヒドロキシスクシンイミドエステル；３−マレイミド安息香酸Ｎ−ヒドロキシスクシンイミドエステル；４−（Ｎマレイミド）ベンゾフェノン；ｙ−マレイミド酪酸Ｎ−ヒドロキシスクシンイミドエステル；ｓ−マレイミドカプロン酸Ｎ−ヒドロキシスクシンイミドエステル；４−（Ｎ−マレイミドメチル）シクロヘキサンカルボン酸Ｎ−ヒドロキシスクシンイミドエステル；４−（Ｎ-マレイミドメチル）シクロヘキサンカルボン酸３−スルホ−Ｎ−ヒドロキシスクシンイミドエステル；マレイミドプロピオン酸Ｎ−ヒドロキシスクシンイミドエステル；Ｎ，Ｎ’−ビス（３−マレイミドプロピオニル）−２−ヒドロキシ−１，３−プロパンジアミン；１，４−フェニレンジイソチオシアネート；Ｎ，Ｎ’−o−フェニレンジマレイミド；ポリオキシエチレンビス（グリシジルエーテル）；ビス（ポリオキシエチレンビス（グリシジルエーテル）；ポリオキシエチレンビス（イミダゾリルカルボニル）；ビス（ポリオキシエチレンビス［イミドリルカルボニル］）；ポリオキシエチレンビス（ｐ−ニトロフェニル）カーボネート）；３−（２−ピリジルジチオ）プロピオン酸Ｎ−ヒドロキシスクシンイミドエステル；スベリン酸ビス（Ｎ−ヒドロキシスクシンイミド）エステル；コハク酸マレイミドエチル−Ｎ−ヒドロキシスクシンイミドエステル；１，５−ビス（スクシンイミドオキシカルボニルオキシ）−ペンテン；ビス（Ｎ−スクシンイミジル）カーボネート。
【００８６】
好都合なことに、ウイルスがキャリア基質に固定化されると、前記固定化は安定性を付与し得る。例えば、固定化されたウイルスは、さもなければ、急速にウイルスを不活性化し得る例えばプロテアーゼ薬剤と接触した場合でも、その生存性および感染性を維持するように安定化される。さもなければウイルスを不活性化する脱水、温度、またはｐＨのような物理的ストレスにさらされても同様である。
【００８７】
本発明は、以後、実施例によって、かつ図を参照してさらに記載される。
【実施例】
【００８８】
実施例１−深創傷の感染に対抗するためのバクテリオファージの送達のためのＬＶＣＣの有効性
【００８９】
図１は、ドレッシング（２）により組織（３）中の傷（４）上に圧迫した、本発明のＬＶＣＣ（１）を概略的に示す。
【００９０】
図２ａは、ＬＶＣＣを取り込んだ本発明のドレッシングを逆さにした断面を示す。袋（５）はＬＶＣＣ（６）を包み込み、ドレッシング（７）に接着しており、頂部ドレッシング表面（８）を持つ−それゆえ図では逆になっている。
【００９１】
図２ｂは、ドレッシング（１０）に織り込まれたＬＶＣＣ（９）を概略的に示す。２つのフィラメント（９ａおよび９ｂ）は異なる色で、異なるバクテリオファージが付着している。図３は、さらに、ファージが付着したフィラメント（１２）が取り込まれたドレッシング（１１）の概略を示す。
【００９２】
第一の例では、インビボモデルを用いた、感染した深創傷環境への細菌感染に対抗するバクテリオファージを送達するＬＶＣＣの有効性が証明されている。いくつかの組織層を貫通し、あらゆるレベルでメチシリン耐性スタフィロコッカス・アウレウス（ＭＲＳＡ）（Ｅ１５）に感染した深創傷を、感染するＭＲＳＡ株に対して活性なバクテリオファージで構成されたＬＶＣＣで処置した。
【００９３】
バクテリオファージを、創傷閉鎖縫合糸の製造で使用されるものと同様の合成ナイロンポリマーフィラメントに固定化した。様々なレベルで感染した創傷を、縫合糸としてＬＶＣＣを用いて閉鎖した。フィラメントのＬＶＣＣは、その表面に固定化した抗ＭＲＳＡバクテリオファージを有するもの（テストされるべきプロトタイプのＬＶＣＣ）か、または有しないもの（対照）とした。
【００９４】
ＬＶＣＣで処置した全ての被検体において、感染は制御され、減少され（目視と細菌数により証明されたように（図４ａおよび図４ｂ参照）、正常に傷の治癒が進んだ。対照的に、対照のの被検体におけるＭＲＳＡの増殖は抑制が効かず、傷は炎症を起こして化膿し、治らなかった。
【００９５】
結果は、ＬＶＣＣを用いることで、バクテリオファージが、インビボモデルにおいて長期間、強力な殺菌効果を送達することを示す−表１Ａおよび１Ｂ参照。
【００９６】
実施例２−長期安定性
感染した被検体から回収したＬＶＣＣを、洗浄して、４℃で保存し、インビトロで生育させたＭＲＳＡに対する抗菌活性継続について定期的に評価した。一連の実験において、抗ＭＲＳＡ活性は、細菌叢内に置かれたＬＶＣＣにより証明されたように維持された。バクテリオファージ活性（回収されたＬＶＣＣの周囲に見られる除去により示される）は保存後数週間にわたっていた−図５参照。
【００９７】
実施例３−乾燥、紫外線照射および温度に対するＬＶＣＣにより付与された安定性
これらの実施例において、ＬＶＣＣを、活性化されたナイロンポリマーまたは木綿繊維をキャリア基質として用いて生成した。バクテリオファージが付着したＬＶＣＣを、一連の環境条件に曝露した。環境条件は、乾燥（バクテリオファージの生残に対する相対湿度の効果によって示される）（図６ａ参照）、紫外線（図６ｂ参照）および高温（図６ｃ参照）を含む。これら全ての条件は、遊離のバクテリオファージを変性させることが知られている。
【００９８】
３つの２×１ｃｍファージストリップをＬＢＭ寒天上に置き、無菌箱中で５分間、１５分間および３０分間紫外光に曝露した。次いで、そのストリップをひっくり返して寒天の新鮮な場所に置き、ＵＶ照射を繰り返した。対照区のファージストリップを同様に処理したが、ＵＶから遮蔽した。次いで、そのストリップを１５ｍｌのＬＢ培養液に移し、５０μｌのスタフィロコッカス・アウレウス懸濁液を接種し、培養した。
【００９９】
結果−表２参照。
結論：付着したファージは無菌箱ＵＶへの３０分曝露まで持ちこたえることができる。スタフィロコッカス・アウレウス細菌細胞はＵＶ源に５分間曝露することにより死滅する。
【０１００】
実施例４−極端な環境における持続的生存性
この実施例では、ＬＶＣＣバクテリオファージの高められた安定性および生存性が、土壌により供給される厳しい条件にさらすことで決定された。研究は、ナイロンポリマーまたはセルロースに固定化されたバクテリオファージを用いた２つのタイプのＬＶＣＣの構築を含んだ。次いで、おのおののＬＶＣＣを非滅菌または滅菌した土壌に埋め、サンプルを３週間の期間にわたって採取し、ＬＶＣＣの抗細菌活性を評価した。
【０１０１】
結果は、遊離のバクテリオファージと比べて、両方のＬＶＣＣバクテリオファージタイプが、バクテリオファージの生残性を高めることを示す（図７参照）。
【０１０２】
実施例５−多数のバクテリオファージで構成されたＬＶＣＣ
２つの異なる標的細菌に対して活性である２つのバクテリオファージを用いて、共通のキャリア基質上に固定し、抗細菌活性を試験したＬＶＣＣ性能の評価。細菌叢上の除去パーセンテージは、宿主株における各々のファージによる平均除去（ｍｍで測定）に基づく。
【０１０３】
結果は、抗細菌活性は減少せず、ＬＶＣＣバクテリオファージは両標的細菌に対して依然として活性であったことを示す（図８参照）。２つの細菌種（１宿主、１非宿主）への処理材料の曝露が、なお感受性宿主の除去を生じる。
【０１０４】
実施例６−深創傷の治療
１０匹の対照動物（ラット）において、傍脊柱筋中に深く切開し、５％の豚胃ムチンに懸濁した１００μｌの５×１０７ｃｆｕ／ｍｌのＥ１５  ＭＲＳＡを感染させ、傷を通常の縫合により閉じた。同じ切開を有する１０匹の試験動物に５％の豚胃ムチンに懸濁した１００μｌの５×１０７ｃｆｕ／ｍｌのＥ１５  ＭＲＳＡを与え、バクテリオファージ処理フィラメントを深創傷に挿入し、固定化したバクテリオファージはファージＫであった。
【０１０５】
全ての動物を、術後に鎮痛剤で処置し、最初の１２時間は１時間間隔で、感染後、次の１２時間は３時間間隔で、次の２日間は６時間間隔で、それ以降は１日２回観察した。
【０１０６】
創傷部位を、これらの時間間隔で、１４日まで炎症および感染（膿の形成）の兆候について調べた。目視による結果を表３に示す。
【０１０７】
感染対照区を示す図９を参照すると、示されたように、部位は依然として大きく腫れた状態であり、仮にあったとしてもほとんど治癒されておらず、１４日目には切開部位は隆起していた。図１０に示すように、開くと、膿で満たされた切開部位が明らかになった。
【０１０８】
バクテリオファージを付着させたテストフィラメントの使用を図１１に示す。これはよく治癒された切開部位で、１４日目において腫れが最小であった。内部部位は、１４日目において、創傷部位への腫れが減少し、傍脊柱内の膿の形成も減少したことを示した。
【０１０９】
実施例７−トマト種子へのバクテリオファージの固定化
バクテリオファージの調製
我々は、ペクトバクテリウム・カロトバラム株を２０％トリプチック・ソイ・ブロス（他の適切な培地も知られている）上で生育させ、対数増殖期に培養物に溶菌性バクテリオファージを感染させた。溶菌が起こると、我々は、遠心によりバクテリオファージを精製し、蒸留水に再懸濁し、遠心により濃縮することにより、バクテリオファージペレットを３度洗浄した。
【０１１０】
コロナ処理
トマト種子を、７５ｋVで１秒間コロナ場で処理し、次いでバクテリオファージ懸濁液中に浸漬した（代替としては、処理した種子をバクテリオファージ懸濁液でスプレーすることである）。我々は、水で３回種子を洗浄し、結合していないバクテリオファージを除去した（代替としては、コロナ処理の前に種子にバクテリオファージ懸濁液を適用することである）。他の場強度もまた効果的であり、洗浄は、観察された抗細菌効果が、吸着した「遊離の」バクテリオファージよりも共有結合したバクテリオファージにより生じるものであることを証明するためにのみ必要であることに留意されたい。
【０１１１】
発芽
それゆえ、我々は、（ｉ）非処理、（ｉｉ）コロナ放電処理、（ｉｉｉ）バクテリオファージ存在下でコロナ放電処理および（ｉｖ）遊離のバクテリオファージ処理の種子を調製し、それらの種子をシャーレ内にて水で湿らせた濾紙上で、室温で発芽させた（代替としては、ペクトバクテリウムの存在下および非存在下で、トリプチック・ソイ寒天（ブロスに２％寒天を加えたもの）上で発芽させることである）。
【０１１２】
結果
トマト種子は、コロナ（図１５）および抗ペクトバクテリウムファージとコロナ（図１４）において、対照区（図１３、コロナ無し）およびファージ無し（図１６）に比べ、発芽が増進された。適切なペクトバクテリウム株（使用したバクテリオファージに感受性の）を接種した寒天上で、コロナおよび抗ペクトバクテリウムファージで処理した種子の周りに、除去ゾーンは、見られる。トマト種子表面は、主としてセルロースである。そこで、我々は、セルロース粒子上に固定化したバクテリオファージの生存性を別途テストした−下記参照。
【０１１３】
実施例８−インビボ植物病原菌アッセイ
我々は、ＷＯ２００７／０７２０４９のコロナ放電方法後のセルロース粉末（サイズの範囲は、約１００ミクロン−１ｍｍ）の上にペクトバクテリウムファージを固定化した。
【０１１４】
我々は、適切なペクトバクテリウム株（使用されるバクテリオファージに感受性である）を寒天プレートに接種し、３カ所に処理したセルロース粒子を加えた。
【０１１５】
図１７に示す結果を参照すると、粉末粒子周囲の除去を見ることができ、固定化されたバクテリオファージの腐敗病細菌に対する活性を示す。これにより、活性バクテリオファージがセルロース材料に付着したことを確認した。
【０１１６】
実施例９−セルロース粒子上のバクテリオファージ
我々は、ＷＯ２００７／０７２０４９のコロナ放電方法後のセルロース粉末（サイズ範囲は約１００ミクロン−１ｍｍ）上にペクトバクテリウムファージを固定した。
【０１１７】
我々は、適切なペクトバクテリウム株（使用するバクテリオファージに感受性である）を寒天プレートに接種し、３カ所にセルロース粉末を加えた。
【０１１８】
我々は、プレートを（ｉ）無し＝対照区、
（ｉｉ）溶液中の遊離のファージおよび（ｉｉｉ）溶液中のセルロース粒子に付着したファージで処理した。そしてバクテリア除去において同様の活性が観察されるまで、（ｉｉ）および（ｉｉｉ）を滴定した。同様の活性は、セルロース粒子に１つのファージが付着したときに比べて、約１００の遊離のファージが使用されたときに起こった。これにより、遊離のファージに比べて固定化されたファージの改善された特性を確認した。
【０１１９】
【表１】
2014528694.tif 000028
【０１２０】
【表２】
2014528694.tif 000029
【０１２１】
【表３】
2014528694.tif 000030
【国際調査報告】
2014528694.tif 000031
2014528694.tif 000032
2014528694.tif 000033